(57)【要約】【課題】記録媒体の返却し忘れを効果的に防止すること。【解決手段】特定遊技状態に制御するか否かを識別情報の変動表示の表示結果が導出表示される以前に決定し、複数種類の変動表示パターンの中から表示結果の決定に基づいて変動表示パターンを選択し、選択された変動表示パターンに基づいて、変動表示装置における識別情報の変動表示を制御し、記録媒体について報知を実行し、特定遊技状態は、可変入賞装置を第１期間、遊技媒体が入賞可能な第１状態に変化させる第１特定遊技状態と、可変入賞装置を第１期間よりも短い期間、第１状態に変化させる第２特定遊技状態とを含み、第１特定遊技状態が終了した場合に報知を実行し、第１特定遊技状態に制御すると決定されたときと第２特定遊技状態に制御すると決定されたときとで、少なくとも一の変動表示パターンを異なる割合で選択する。【選択図】図７
2014223396.tif 000002
【特許請求の範囲】
【請求項１】
記録媒体に記録された価値に基づいて遊技媒体を遊技に使用可能にするとともに、各々が識別可能な複数種類の識別情報の変動表示を行ない表示結果を導出表示する変動表示装置に特定表示結果が導出表示されたときに遊技者にとって有利な特定遊技状態に制御する遊技機であって、
遊技媒体が入賞可能な第１状態と該第１状態よりも遊技媒体が入賞しにくいまたは入賞しない第２状態とに変化する可変入賞装置と、
前記特定遊技状態に制御するか否かを識別情報の変動表示の表示結果が導出表示される以前に決定する事前決定手段と、
複数種類の変動表示パターンの中から前記事前決定手段による決定に基づいて変動表示パターンを選択する変動表示パターン選択手段と、
該変動表示パターン選択手段によって選択された変動表示パターンに基づいて、前記変動表示装置における識別情報の変動表示を制御する変動表示制御手段と、
前記記録媒体について報知を実行する報知手段とを備え、
前記特定遊技状態は、前記可変入賞装置を第１期間、前記第１状態に変化させる第１特定遊技状態と、前記可変入賞装置を前記第１期間よりも短い期間、前記第１状態に変化させる第２特定遊技状態とを含み、
前記報知手段は、前記第１特定遊技状態が終了した場合に前記報知を実行し、
前記変動表示パターン選択手段は、前記事前決定手段により前記第１特定遊技状態に制御すると決定されたときと前記第２特定遊技状態に制御すると決定されたときとで、少なくとも一の変動表示パターンを異なる割合で選択する、遊技機。
【発明の詳細な説明】
【技術分野】
【０００１】
本発明は、記録媒体に記録された価値に基づいた遊技媒体の貸出指令を受けて前記遊技媒体を遊技に使用可能にする遊技機に関する。
【背景技術】
【０００２】
カードユニットは、パチンコ遊技機およびスロットマシンなどに隣接して並べられて設置され、挿入された会員カードおよびプリペイドカードなどのカードに記録された度数に基づいて遊技球およびメダルなどの遊技媒体を貸出すための装置である。従来、このカードユニットにカードが挿入されている状態である場合に、大当り中の所定ラウンドにおいて、カードの排出を促す報知画像を画面に出力する遊技機があった（たとえば、特許文献１）。
【先行技術文献】
【特許文献】
【０００３】
【特許文献１】特開２０１１−４５４０２号公報
【発明の概要】
【発明が解決しようとする課題】
【０００４】
しかし、このような遊技機においては、特定遊技状態の間に遊技者がカードなどの記録媒体の返却操作をしなかった場合、遊技者が遊技を止めようとしたときに、記録媒体の返却し忘れが発生するといった問題があった。
【０００５】
この発明はかかる事情に鑑み考え出されたものであり、その目的は、記録媒体の返却し忘れを効果的に防止することが可能な遊技機を提供することである。
【課題を解決するための手段】
【０００６】
（１）  記録媒体（たとえば、会員カード、ビジターカード）に記録された価値（たとえば、度数）に基づいて遊技媒体（たとえば、遊技球、メダル）を遊技に使用可能にするとともに、各々が識別可能な複数種類の識別情報の変動表示を行ない表示結果を導出表示する変動表示装置に特定表示結果が導出表示されたときに遊技者にとって有利な特定遊技状態に制御する遊技機（たとえば、パチンコ遊技機１、スロットマシン、カードユニット５０が外付けであってもよいし、内蔵されていてもよい）であって、
遊技媒体が入賞可能な第１状態（たとえば、開放状態）と該第１状態よりも遊技媒体が入賞しにくいまたは入賞しない第２状態（たとえば、閉鎖状態）とに変化する可変入賞装置（たとえば、特別可変入賞球装置２０）と、
前記特定遊技状態に制御するか否かを識別情報の変動表示の表示結果が導出表示される以前に決定する事前決定手段（たとえば、遊技制御用マイクロコンピュータ５６０、図１２のステップＳ６０）と、
複数種類の変動表示パターン（たとえば、図６，図７に示す変動パターン）の中から前記事前決定手段による決定に基づいて変動表示パターンを選択する変動表示パターン選択手段（たとえば、遊技制御用マイクロコンピュータ５６０、図１３のステップＳ９１〜ステップＳ１１５）と、
該変動表示パターン選択手段によって選択された変動表示パターンに基づいて、前記変動表示装置における識別情報の変動表示を制御する変動表示制御手段（たとえば、演出制御用マイクロコンピュータ１００）と、
前記記録媒体について報知を実行する報知手段（たとえば、演出制御用マイクロコンピュータ１００、図２０のステップＳ８６８、ステップＳ８７８、図２２のステップＳ７１６）とを備え、
前記特定遊技状態は、前記可変入賞装置を第１期間（たとえば、２９秒×１５ラウンド）、前記第１状態に変化させる第１特定遊技状態（たとえば、通常大当り、確変大当り）と、前記可変入賞装置を前記第１期間よりも短い期間（たとえば、０．５秒×２ラウンド）、前記第１状態に変化させる第２特定遊技状態（たとえば、突然確変大当り、小当り）とを含み、
前記報知手段は、前記第１特定遊技状態が終了した場合（たとえば、図２０のステップＳ８７７における大当り終了後の高ベース状態終了時、大当り遊技状態のエンディング演出中）に前記報知を実行し、
前記変動表示パターン選択手段は、前記事前決定手段により前記第１特定遊技状態に制御すると決定されたときと前記第２特定遊技状態に制御すると決定されたときとで、少なくとも一の変動表示パターンを異なる割合で選択する（たとえば、図７で示すように、突然確変大当りまたは小当りとするときは、２５１／２５１の割合で通常の変動パターンを選択し、通常大当りおよび確変大当りとするときは、１９１／２５１，２１１／２５１の割合で、それぞれ、スーパーリーチの変動パターンを選択する。）。
【０００７】
このような構成によれば、記録媒体の返却し忘れを効果的に防止することが可能な遊技機を提供することができる。
【０００８】
（２）  上記（１）の遊技機において、
記録媒体（たとえば、会員カード、ビジターカード）に記録された価値（たとえば、度数）に基づいた遊技媒体（たとえば、遊技球、メダル）の貸出指令を受けて前記遊技媒体を遊技に使用可能にする遊技機（たとえば、パチンコ遊技機１、スロットマシン、カードユニット５０が外付けであってもよいし、内蔵されていてもよい）であって、
遊技者にとって有利な特定遊技状態（たとえば、大当り遊技状態）に制御可能（たとえば、図１０のステップＳ３０５〜ステップＳ３０７）であるとともに、前記特定遊技状態とは異なる有利状態（たとえば、高確率状態、高ベース状態、小当りの発生頻度が向上した状態、ＲＴ状態、ＡＲＴ状態）に制御可能（たとえば、図１５のステップＳ１６７，ステップＳ１７０Ａ，ステップＳ１７０Ｂ，ステップＳ１７２Ｂ）な遊技制御手段（たとえば、遊技制御用マイクロコンピュータ５６０）と、
前記有利状態に制御されているときと前記有利状態に制御されていないときとで共通する共通演出（たとえば、潜伏演出）を実行可能（たとえば、図２１のステップＳ８９３）な演出制御手段（たとえば、演出制御用マイクロコンピュータ１００）と、
前記記録媒体の返却操作を促す報知を実行する報知手段（たとえば、演出制御用マイクロコンピュータ１００、図２０のステップＳ８６８，ステップＳ８７８、図２２のステップＳ７１６）と、
前記演出制御手段が前記共通演出を実行するときに、前記報知を規制する報知規制手段（たとえば、演出制御用マイクロコンピュータ１００、潜伏演出が実行される突然確変大当りまたは小当りの場合は、図２０のステップＳ８６４でＹＥＳと判断され、報知タイミング設定に突然確変大当り／小当り図柄導出時が含まれていない限り、ステップＳ８６８でのカードの返却を促す旨の表示が実行されない）とを備える。
【０００９】
このような構成によれば、共通演出が実行されるような有利状態に制御されているかも知れない状況においては、記録媒体の返却操作を促す報知が規制される。その結果、遊技の継続の意欲を減退させることを防止できることで遊技機の稼動率を向上させることが可能な遊技機を提供することができる。
【００１０】
（３）  上記（２）の遊技機において、
前記遊技制御手段は、第１特定遊技状態（たとえば、確変大当り、通常大当り）および当該第１特定遊技状態と比較して有利度合いが低い（たとえば、賞球数が少ない）第２特定遊技状態（たとえば、突然確変大当り、小当り）とを含む複数種類の特定遊技状態のいずれかに制御可能であるとともに、
前記演出制御手段は、前記第２特定遊技状態への制御に対応して前記共通演出を実行する（たとえば、図２１のステップＳ８９１で突然確変大当りまたは小当りが実行された直後と判断された場合に、ステップＳ８９３で潜伏演出が開始される）。
【００１１】
このような構成によれば、有利度合いの低い第２特定遊技状態に制御される場合であっても、共通演出が実行されることによって有利状態に制御されているかも知れないと遊技者に思わせることができる。その結果、遊技の継続の意欲を減退させることをさらに防止できることで遊技機の稼動率をさらに向上させることができる。
【００１２】
（４）  上記（３）の遊技機において、
前記報知手段によって前記報知が実行される契機を、前記遊技制御手段が前記第１特定遊技状態に制御したとき、および、前記遊技制御手段が前記有利状態への制御を終了したときを含む複数の契機の中から設定（たとえば、遊技場側または遊技者による設定）する設定受付手段（たとえば、演出制御用マイクロコンピュータ１００、図１６のステップＳ７０８，ステップＳ７０９）をさらに備える。
【００１３】
このような構成によれば、状況に応じた適切な、記録媒体の返却操作を促す報知を実現することができる。
【００１４】
（５）  上記（２）から（４）のいずれかの遊技機において、
前記報知手段は、終了後に前記有利状態でない状態となる前記特定遊技状態（たとえば、通常大当り）が発生したときに、前記報知を実行する（たとえば、報知タイミングの設定に通常大当りの大当り図柄導出時が含まれる場合に、図２０のステップＳ８６７で通常大当りの大当り図柄導出時であり、ＹＥＳと判断された場合に、ステップＳ８６８でカードの返却を促す旨が表示される）。
【００１５】
このような構成によれば、遊技者が遊技を終了する傾向があるタイミングで、記録媒体の返却操作を促す報知が実行される。その結果、記録媒体の返却操作を促す報知が、適切なタイミングで実行されるので、記録媒体の返却操作を促す報知の効果を向上させることができる。
【００１６】
（６）  上記（２）または（３）の遊技機において、
前記報知手段は、前記特定遊技状態において所定数の前記遊技媒体が付与されたときに、前記報知を実行する（たとえば、図２２のステップＳ７１５で大入賞口への入賞個数が所定数以上と判断されたときに、ステップＳ７１６でカードの返却を促す旨が表示される）。
【００１７】
このような構成によれば、遊技媒体をある程度、確保した段階で、記録媒体の返却操作を促す報知が実行される。その結果、記録媒体の返却操作を促す報知が、適切なタイミングで実行されるので、記録媒体の返却操作を促す報知の効果を向上させることができる。
【００１８】
（７）  上記（２）から（６）のいずれかの遊技機において、
前記報知手段は、表示手段（たとえば、演出表示装置９）に前記記録媒体の返却操作を促す表示をするための前記報知を実行する。
【００１９】
このような構成によれば、記録媒体の返却操作を促す報知をより確実に遊技者に認識させることができる。
【図面の簡単な説明】
【００２０】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】大当り判定テーブル、小当り判定テーブルおよび大当り種別判定テーブルを示す説明図である。
【図６】変動パターンを決定するために用いる変動パターンテーブルを表形式で示す図である。
【図７】変動パターンを決定するために用いる変動パターンテーブルを表形式で示す図である。
【図８】演出制御コマンドの内容の一例を示す説明図である。
【図９】タイマ割込処理を示すフローチャートである。
【図１０】特別図柄プロセス処理を示すフローチャートである。
【図１１】始動口スイッチ通過処理を示すフローチャートである。
【図１２】特別図柄通常処理を示すフローチャートである。
【図１３】変動パターン設定処理を示すフローチャートである。
【図１４】特別図柄停止処理を示すフローチャートである。
【図１５】大当り終了処理を示すフローチャートである。
【図１６】演出制御メイン処理を示すフローチャートである。
【図１７】演出制御プロセス処理を示すフローチャートである。
【図１８】演出図柄変動開始処理を示すフローチャートである。
【図１９】演出図柄変動中処理を示すフローチャートである。
【図２０】演出図柄変動停止処理を示すフローチャートである。
【図２１】大当り終了演出処理を示すフローチャートである。
【図２２】第２実施形態における演出制御メイン処理を示すフローチャートである。
【発明を実施するための形態】
【００２１】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、各々を識別可能な複数種類の識別情報を変動表示させ、導出表示された表示結果が特定表示結果となったときに、遊技者にとって有利な特定遊技状態に制御する遊技機であれば、どのような遊技機であってもよい。
【００２２】
〔第１実施形態〕
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００２３】
パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２４】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。
【００２５】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２１（図３参照）が設けられている。また、スティックコントローラ１２２には、スティックコントローラ１２２を振動動作させるためのバイブレータ用モータ１２６（図３参照）が内蔵されている。
【００２６】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。
【００２７】
打球供給皿３の上面には、球貸しを受ける場合に操作する球貸ボタン５１と、カード残額や獲得玉数等を特定可能にしてカードの返却を受ける場合に操作する返却ボタン５２と、カードの残度数を表示する残度数表示部５３が設けられる。
【００２８】
遊技領域７の中央付近には、各々を識別可能な複数種類の識別情報としての演出図柄を変動表示（可変表示ともいう）可能な演出表示装置９が設けられている。遊技領域７における演出表示装置９の右側方には、各々を識別可能な複数種類の識別情報としての第１特別図柄を変動表示する第１特別図柄表示器８ａと、各々を識別可能な複数種類の識別情報としての第２特別図柄を変動表示する第２特別図柄表示器８ｂとが設けられている。
【００２９】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示等の各種画像を表示する表示領域が設けられる。このような表示領域には、たとえば「左」、「中」、「右」の３つの装飾用（演出用）の演出図柄を変動表示する図柄表示領域が形成される。
【００３０】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００３１】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利価値）が付与される有利状態としての特定遊技状態（大当り遊技状態）に制御される。
【００３２】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これら状態をリーチ状態という。）で行なわれる演出をリーチ演出という。
【００３３】
ここで、リーチ状態は、演出表示装置９の表示領域において停止表示された演出図柄が大当り組合せの一部を構成しているときに未だ停止表示されていない演出図柄の変動が継続している表示状態、または、全部もしくは一部の演出図柄が大当り組合せの全部または一部を構成しながら同期して変動している表示状態である。言い換えると、リーチとは、複数の変動表示領域において識別情報が特定表示結果を構成しているが少なくとも一部の変動領域が変動表示中である状態をいう。この実施形態において、リーチ状態は、たとえば、左，右の図柄表示領域で同じ図柄が停止し、中の図柄表示領域で図柄が停止していない状態で形成される。リーチ状態が形成されるときの左，右の図柄表示領域で停止された図柄は、リーチ形成図柄、または、リーチ図柄と呼ばれる。
【００３４】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別のリーチをスーパーリーチという。
【００３５】
演出表示装置９の右方には、各々を識別可能な識別情報としての第１特別図柄を変動表示する第１特別図柄表示器（第１変動表示部）８ａが設けられている。第１特別図柄表示器８ａは、０〜９の数字等の特別図柄を変動表示可能な簡易で小型の表示器（たとえば７セグメントＬＥＤ）で実現されている。また、演出表示装置９の右方（第１特別図柄表示器８ａの右隣）には、各々を識別可能な識別情報としての第２特別図柄を変動表示する第２特別図柄表示器（第２変動表示部）８ｂが設けられている。第２特別図柄表示器８ｂは、０〜９の数字等の特別図柄を変動表示可能な簡易で小型の表示器（たとえば７セグメントＬＥＤ）で実現されている。
【００３６】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００３７】
なお、この実施の形態では、２つの特別図柄表示器８ａ，８ｂを備える場合を示しているが、遊技機は、特別図柄表示器を１つのみ備えるものであってもよい。
【００３８】
第１特別図柄または第２特別図柄の変動表示は、変動表示の実行条件である第１始動条件または第２始動条件が成立（たとえば、遊技球が第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００３９】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００４０】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４１】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００４２】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００４３】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００４４】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００４５】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００４６】
また、演出表示装置９の表示画面の下部には、第１保留記憶数を表示する第１保留記憶表示部と、第２保留記憶数を表示する第２保留記憶表示部とが形成される。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、変動表示の開始条件が成立していない実行条件の成立数の合計を把握しやすくすることができる。
【００４７】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４８】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００４９】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００５０】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００５１】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５２】
また、カード（会員カード、ビジターカード）が挿入されることによって球貸しを可能にするカードユニット５０が、パチンコ遊技機１に隣接して設置される。このカードユニット５０は、遊技者による遊技に使用可能な価値としてのカード残額や、遊技の結果、遊技者が獲得した獲得価値としての獲得玉数を記録したカードから、カード残額や獲得玉数の引落としを受付けて、その引落額に応じた貸玉としてのパチンコ玉をパチンコ遊技機１の球払出装置９７に払出させることを指示する制御信号をパチンコ遊技機１の払出制御基板３７に出力し、そのパチンコ玉の使用により、遊技者によるパチンコ遊技機１での遊技を可能にするものである。このようにカードユニット５０からパチンコ遊技機１に出力される制御信号は、カードに記録された価値に基づいたパチンコ玉の貸出指令の一例である。しかし、このようなカードユニット５０とパチンコ遊技機１などの遊技機とでやり取りされる信号に限定されず、カードユニットが遊技機に内蔵される場合は、貸出指令は、遊技機内部でやり取りされる制御信号であってもよい。
【００５３】
カードユニット５０には、たとえば、使用可能状態であるか否かを示す使用可表示ランプ、カードユニットがいずれの側のパチンコ遊技機１に対応しているのかを示す連結台方向表示器、カードユニット内にカードが投入されていることを示すカード投入表示ランプ、記録媒体としてのカードが挿入されるカード挿入口、およびカード挿入口の裏面に設けられているカードリーダライタの機構を点検する場合にカードユニットを解放するためのカードユニット錠が設けられている。
【００５４】
パチンコ遊技機１において、遊技者が遊技を行なう場合には、遊技に使用可能な遊技用のカードを用いる。カードとしては、遊技場において会員として登録された遊技者に対して個別に発行された会員カードと、すべての遊技者が利用できるビジターカードとの２種類のカードがある。
【００５５】
会員カードは、ＩＣカードよりなる記録媒体である。会員カードには、カードＩＤが記録されている。遊技者の投入代金の対価としてのカード残額、獲得玉数情報、貯玉数情報、および、会員個人を特定する会員情報等の各種情報（カード情報）が、カードＩＤに対応付けて後述する獲得玉管理サーバに記録されている。獲得玉管理サーバは、会員カードに基づいて対応する各種カード情報を割出すことができる。カード残額、貯玉数情報、来店ポイント数情報、および、会員情報等のカード情報は、獲得玉管理サーバにより、カードＩＤを用いて管理される。
【００５６】
ここで、貯玉とは、遊技者が獲得した獲得玉等の獲得価値を遊技場側に預入れる行為およびその預入れられた価値をいう。貯玉数情報とは、その会員カードを所有している遊技者の貯玉の数を示す情報である。獲得玉とは、遊技者が遊技により獲得した点数または玉等を示す価値をいう。獲得玉数情報とは、その会員カードを所有している遊技者の獲得玉の数を示す情報である。また、再プレイとは、遊技者が貯玉または遊技場に預入れていない獲得玉を用いて玉貸しを受けて遊技を行なうことをいう。
【００５７】
遊技者が遊技を行なう場合は、まず、貨幣（１０００円）を貨幣挿入口に挿入する。すると、その挿入された貨幣が判別されて適正貨幣の場合に、球貸しボタン５１が操作されると、挿入貨幣の金額の範囲内で遊技玉が貸出されて遊技が可能となる。なお、貨幣としては１０００円札以外の貨幣も使用可能である。カードの返却を受ける場合は、挿入された会員カードのカードＩＤで特定される獲得玉数に、遊技者が獲得した獲得玉数を加算更新することができる。会員カードが挿入されていない場合には、カードユニット５０からビジターカードが発行される。遊技者が獲得した獲得玉数がそのビジターカードに記録されて遊技者に排出される。このように、会員カードおよびビジターカードには、入金額から遊技に使用した額を差し引いた残額が特定可能に記憶される。
【００５８】
遊技者がビジターカードを用いて遊技を行なう場合には、カードユニット５０に設けられているカード口にビジターカードを挿入する。すると、その挿入されたビジターカードに記録されているカード残額や獲得玉数等のカード情報がカードユニット５０に設けられたカードリーダライタにより読取られる。そして、読取られたカード情報に基づいて、カード残額がパチンコ遊技機１に設けられている残度数表示部５３に表示され、獲得玉数が、カードユニット５０に設けられている計数表示部５５５に表示される。計数表示部５５５は、カード残額や獲得玉数を所定の桁数で表示するように構成されている。この表示されたカード残額や獲得玉数を用いて遊技が可能となる。
【００５９】
遊技者が会員カードを用いて遊技を行なう場合には、カードユニット５０に設けられているカード口に会員カードを挿入する。すると、その挿入された会員カードに記録されているカードＩＤがカードリーダライタにより読取られる。そして、読取られたカードＩＤに基づいて獲得玉管理サーバが特定した玉数データ（獲得玉数データ、貯玉数データ）が計数表示部５５５に表示される。この表示されたカード残額や獲得玉数や貯玉数を用いて遊技が可能となる。
【００６０】
カードユニット５０には、貯玉や獲得玉を用いて玉貸しを受ける場合、すなわち、再プレイをする場合に操作する再プレイボタン５５４が設けられている。
【００６１】
球貸ボタン５１が操作されれば、残度数表示部５３に表示さているカード残額から、予め定められた貸出単位額分の額が引落されて減額され、それと引換えに、貸出単位額分の玉がパチンコ遊技機１から貸玉として払出される。また、カード残額が、残度数表示部５３に表示される。このような操作は、玉貸し操作と呼ばれる。
【００６２】
カード口にカードが挿入されている状態において、再プレイボタン５５４が操作されれば、計数表示部５５５に表示されている獲得玉数または貯玉数から、予め定められた返却単位数分の玉数が引落とされて減算され、それと引換えに、返却単位数分の玉がパチンコ遊技機１の球払出装置９７から返却される。このような操作は、再プレイ操作と呼ばれる。このように払出される玉を返却玉と呼ぶ。
【００６３】
カード口に会員カードが挿入されている状態において、返却ボタン５２が操作されれば、その時点での獲得玉数、カード残額、および、貯玉数等の情報が獲得玉数管理サーバに記憶され、その記憶情報を特定するカードＩＤが記録された会員カードがカード口から排出されて遊技者に返却される。
【００６４】
カードユニット５０から貸玉として払出される玉は、パチンコ遊技機１の内部に設けられている球払出装置９７から、パチンコ遊技機１に設けられている打球供給皿３上に払出される。
【００６５】
遊技においては、遊技者がパチンコ遊技機１に設けられている打球操作ハンドル５を操作して、打球供給皿３に貯留された玉を弾発発射し、遊技領域７に打込む。そして、遊技領域７に打込まれた玉が上述したような各種の入賞領域に入賞すれば、入賞領域別に予め定められた個数の景品玉が打球供給皿３に払出される。打球供給皿３が満タンになった場合には、その下方に設けられている余剰玉受皿４に玉が送られて貯留される。
【００６６】
このパチンコ遊技機１においては、各台計数機５と呼ばれるパチンコ玉の計数装置が各パチンコ遊技機１に対応して設けられている。各台計数機５は、パチンコ遊技機１の下方に設けられた計数用玉貯留部９４とを含む。
【００６７】
計数用玉受部９４は、余剰玉受皿４の下方に設けられており、余剰玉受皿４から排出された玉を受けて貯留することが可能な形状に構成されている。貯留玉が満杯になったこと等の理由により、余剰玉受皿４に設けられた排出レバーが操作されると、余剰玉受皿４に貯留されていた玉が、余剰玉受皿４の底面の開口部から下方へ排出され、計数用玉受部９４に受けられる。
【００６８】
計数用玉受部９４においては、遊技者による操作が可能な計数シャッタ９４ａが設けられている。計数シャッタ９４ａは、計数用玉受部９４の底部に設けられた開口部を開閉するための部材であり、一体形成されたレバー部９４ｂの操作に応じて開閉される。計数シャッタ９４ａは、通常状態において閉成されて計数用玉受部９４を玉の貯留が可能な状態にし、遊技者によってレバー部９４ｂが操作された場合に開放される。計数シャッタ９４ａが開かれると、計数用玉受部９４に貯留されていた玉が、計数用玉受部９４の底部に連結されている玉排出用通路５２０に排出される。玉排出用通路５２０の入側には、計数用玉受部９４から排出された玉（以下、「獲得玉」という）を計数するために検出する通過検出用センサよりなる獲得玉検出スイッチ５０１が設けられている。
【００６９】
獲得玉検出スイッチ５０１により玉が検出され、計数されれば、カードユニット５０に設けられた計数表示部５５５にその計数値が表示される。この計数値（「獲得玉数」ともいう）は、遊技終了時に獲得玉数情報としてビジターカードに記録され、景品交換等の各種目的のために使用することが可能である。また、会員カードにおいては、その会員カードのカードＩＤに対応付けて獲得玉管理サーバに記憶され、景品交換等の各種目的のために使用することが可能である。また、獲得玉数情報で示される獲得玉数を貯玉数に変換し、貯玉数情報としてに記録しておくことが可能である。
【００７０】
返却を行なう場合には、遊技者により返却ボタン５２が操作される。返却ボタン５２が操作された場合は、前述した獲得玉検出スイッチ５０１による計数値の全てが景品交換のために精算され、その精算された計数値（言い換えると獲得玉数）等の情報が、カードリーダライタによりビジターカードに書込まれ、そのビジターカードが、カード口から排出されて遊技者に返却される。一方、遊技者が会員カードをカード口に挿入して返却操作した場合には、その会員カードのカードＩＤに対応付けて計数値（言い換えると獲得玉数）等の情報が獲得玉管理サーバに記憶される。
【００７１】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００７２】
「大当り」のうち、大当り遊技状態に制御された後、特別遊技状態として、通常状態（確変状態でない通常の遊技状態（低確率状態））に比べて大当りとすることに決定される確率が高い状態である確変状態（確率変動状態の略語であり、高確率状態ともいう）に移行する大当りの種類（種別）は、「確変大当り」と呼ばれる。
【００７３】
図２に示すように、本実施の形態では、通常確変大当り、確変大当り、突然確変大当り、および、小当りという、複数種類の当りが設けられている。突然確変大当りは、突確大当りという略称で呼ばれる場合がある。
【００７４】
ラウンド数が異なる大当り遊技状態としては、通常大当りおよび確変大当りによる１５ラウンドの大当り遊技状態、ならびに、突然確変大当りによる２ラウンドの大当り遊技状態の、複数種類の大当り遊技状態が設けられている。また、ラウンド数が同じであるが各ラウンドの開放時間が異なる大当り遊技状態としては、通常大当りおよび確変大当りによる開放時間が２９秒の大当り遊技状態と、突然確変大当りによる開放時間が０．５秒の大当り遊技状態との、複数種類の大当り遊技状態が設けられている。小当りにおいては、突然確変大当りと同様の開放回数（２回）および開放時間（０．５秒）の小当り遊技状態となる。
【００７５】
具体的に、通常大当りおよび確変大当りの大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００７６】
また、突然確変大当りの大当り遊技状態においては、特別可変入賞球装置２０が、開放状態とされた後、所定の開放状態の終了条件（開放状態において所定期間（たとえば０．５秒間）が経過したこと、または、所定個数（たとえば９個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる２ラウンド（最終ラウンド）に達するまで繰返される。
【００７７】
このように、突然確変大当りは、大入賞口の開放回数が１５ラウンドよりも少ない回数（この実施の形態では２回）まで許容されるとともに、大入賞口の開放時間が短い（たとえば、０．５秒間）大当り種類（種別）である。
【００７８】
また、本実施の形態では、確変大当りに基づく特別遊技状態としては、確変状態に付随して、特別図柄や演出図柄の変動時間（変動表示期間）が非時短状態（通常変動時間状態）よりも短縮される時短状態に制御される。また、本実施の形態では、通常大当りに基づく特別遊技状態としては、時短状態に制御される。
【００７９】
このように、時短状態に移行することによって、特別図柄や演出図柄の変動時間が短縮されるので、時短状態となったときには、有効な始動入賞が発生しやすくなり大当り遊技が行なわれる可能性が高まる。
【００８０】
なお、「大当り」のうち、１５ラウンドの大当り遊技状態に制御された後、確変状態に移行しない大当りの種類（種別）は、「通常大当り」と呼ばれる。
【００８１】
また、確変大当りおよび通常大当りに基づく特別遊技状態としては、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される。一方、突然確変大当りに基づく特別遊技状態としては、確変状態に制御されるが、電チューサポート制御状態に制御されない。
【００８２】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００８３】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００８４】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００８５】
さらに、電チューサポート制御としては、普通図柄短縮制御状態、普通図柄確変制御状態、開放時間延長制御状態、および、開放回数増加制御状態のうちのいずれか複数を組合せた状態に移行させることによって、高ベース状態に移行するようにしてもよい。また、電チューサポート制御としては、普通図柄短縮制御状態、普通図柄確変制御状態、開放時間延長制御状態、および、開放回数増加制御状態のうちのいずれか１つの状態に移行させることによって、高ベース状態に移行するようにしてもよい。このように、電チューサポート制御としては、普通図柄短縮制御状態、普通図柄確変制御状態、開放時間延長制御状態、および、開放回数増加制御状態のうち、いずれか１つの状態、いずれか複数（すべての組合せを除く）を組合せた状態、または、すべてを組合せた状態に制御するものであれば、どのような制御を行なうようにしてもよい。
【００８６】
本実施の形態では、確変大当りに基づく特別遊技状態として、確変状態に制御されることに付随して、時短状態および電チューサポート制御状態に制御される。その他、特別遊技状態における時短状態と電チューサポート制御状態との関係としては、時短状態に付随して電チューサポート制御状態に制御されるようにしてもよく、時短状態に独立して電チューサポート制御状態に制御されるようにしてもよい。
【００８７】
この実施の形態の場合は、突然確変大当りのように大当り遊技状態の終了後において、特別遊技状態として、確変状態に制御されたときに時短状態および電チューサポート制御状態に制御されない場合がある。また、大当り遊技状態の終了後において、確変状態に制御されず通常状態となるときは、変動表示回数により期間が制限されずに、次回の大当りが発生するまでの間、時短状態および電チューサポート制御状態に制御されるようにしてもよい。
【００８８】
この実施の形態においては、大当り確率の状態を示す用語として、「高確率状態（確変状態）」と、「低確率状態（非確変状態）」とを用い、ベースの状態を示す用語として、「高ベース状態（電チューサポート制御状態）」と、「低ベース状態（非電チューサポート制御状態）」とを用いる。
【００８９】
また、この実施の形態においては、大当り確率の状態およびベースの状態の組合せを示す用語として、「低確低ベース状態」、「低確高ベース状態」、「高確低ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確低ベース状態」とは、大当り確率の状態が高確率状態で、かつ、ベースの状態が低ベース状態であることを示す状態である。「高確高ベース状態」とは、大当り確率の状態が高確率状態で、かつ、ベースの状態が高ベース状態であることを示す状態である。
【００９０】
図２に示すように、１５ラウンドの大当りとしては、通常大当りと、確変大当りとの複数種類の大当りが設けられている。また、突然確変大当りと、小当りとが設けられている。
【００９１】
通常大当りは、１５ラウンドの大当り遊技状態の終了後に、非確変状態、時短状態、および、電チューサポート制御状態（低確高ベース状態）に制御される大当りである。確変大当りは、１５ラウンドの大当り遊技状態の終了後に、確変状態、時短状態、および、電チューサポート制御状態（高確高ベース状態）に移行する制御が行なわれる大当りである。
【００９２】
突然確変大当りは、開放時間が極めて短い２ラウンドの大当り遊技状態の終了後に、確変状態に移行する制御が行なわれ、時短状態、および、電チューサポート制御状態（高確率／高ベース状態）に移行する制御が行なわれずに非時短状態、および、非電チューサポート制御状態（高確率／低ベース状態）に制御される大当りである。
【００９３】
確変大当りにおいては、確変状態、時短状態、および、電チューサポート制御状態が、次回の大当りが発生するまでという条件が成立するまでの期間継続する。また、通常大当りにおいては、時短状態が、変動表示が１００回という所定回数実行されるまでという条件と、次回の大当りが発生するまでという条件とのいずれか早い方の条件が成立するまでの期間継続する。このように時短状態が継続する変動表示の回数は、時短回数とも呼ばれる。
【００９４】
また、突然確変大当りの場合は、確変状態よりなる特別遊技状態が、次回の大当りが発生するまでという条件が成立するまでの期間継続する。
【００９５】
また、小当りとなったときには、小当り遊技状態終了後に、小当り遊技状態の開始前における遊技状態としての大当り確率およびベース状態が維持される。また、この実施の形態において、小当りは、小当り遊技状態において、突然確変大当りと同一の開放回数および同一の開放時間で特別可変入賞球装置２０を開放する当りである例を示すが、これに限らず、小当りとしては、特別可変入賞球装置２０の開放態様が、突然確変大当りのときの開放態様と完全に一致するものでないが、突然確変大当りのときの開放態様と区別しにくいように見えるものであってもよい。つまり、小当りとしては、特別可変入賞球装置２０の開放態様が、突然確変大当りと略同一の開放回数および略同一の開放時間で特別可変入賞球装置２０を開放する当りであればよい。
【００９６】
突然確変大当りと、小当りとは、特別可変入賞球装置２０の開放回数および開放時間が同じであるので、大当り遊技状態および小当り遊技状態中に、突然確変大当りであるか小当りであるかを遊技者が認識しにくい。これにより、突然確変大当りの大当り遊技状態の終了後および小当り遊技状態の終了後において、確変状態となっていることを報知しない共通の演出が行なわれるときには、確変状態となっているか否かを遊技者が認識しにくい。また、突然確変大当りは、大当り遊技状態の終了後に低ベースとなるので、小当り遊技状態の終了後にベースが変更されない小当りと比べると、突然確変大当りの大当り遊技状態の終了後と、小当り遊技状態の終了後とで、遊技者が動作状況を区別しにくい。このような制御状態は、確変状態が潜伏しているような状態であるので、潜伏状態と呼ばれ、このような潜伏状態にする制御が潜伏制御と呼ばれる。なお、高確低ベース状態において発生した突然確変大当り時には、大当り遊技状態の終了後に、時短状態に制御され、電チューサポート制御に制御されるものを設けてもよい。このように、高確高ベース状態に移行する場合には、後述する潜伏演出を行なわないようにすることが望ましい。
【００９７】
この実施形態によるパチンコ遊技機１においては、演出制御用ＣＰＵ１０１において、大当り遊技状態の終了後および小当り遊技状態の終了後に、確変状態となっているか否かを報知しない共通の演出をする潜伏演出が行なわれる。たとえば、演出制御用ＣＰＵ１０１では、大当り終了時において、小当り／突然確変大当り終了指定コマンドを受信したときは、大当り遊技状態（小当りの場合は小当り遊技状態）の終了後において共通の背景画像を表示する等、共通の演出を行なう。このような潜伏演出が行なわれることにより、遊技者に対して確変状態であるか否かについての期待感を持たせることができ、遊技の興趣を向上させることができる。なお、潜伏演出は、遊技制御用マイクロコンピュータ１００から潜伏演出の実行を指示するコマンドを送信し、当該コマンドに応じて、演出制御用ＣＰＵ１０１が潜伏演出を実行するようにしてもよい。
【００９８】
図３は、主基板（遊技制御基板）３１における回路構成の一例を示すブロック図である。なお、図３は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００９９】
また、ＲＡＭ５５は、その一部または全部が電源基板９１０において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【０１００】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【０１０１】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【０１０２】
また、ゲートスイッチ３２ａ、第１始動口スイッチ１３ａ、第２始動口スイッチ１４ａ、カウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【０１０３】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【０１０４】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【０１０５】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なうとともに、音声出力基板７０を介してスピーカ２７からの音出力の制御を行なう等、各種の演出制御を行なう。
【０１０６】
また、演出制御用ＣＰＵ１０１は、スティックコントローラ１２２のトリガボタン１２１に対する遊技者の操作行為を検出したことを示す情報信号としての操作検出信号を、トリガセンサ１２５から入力する。また、演出制御用ＣＰＵ１０１は、プッシュボタン１２０に対する遊技者の操作行為を検出したことを示す情報信号としての操作検出信号を、プッシュセンサ１２４から入力する。また、演出制御用ＣＰＵ１０１は、スティックコントローラ１２２の操作桿に対する遊技者の操作行為を検出したことを示す情報信号としての操作検出信号を、傾倒方向センサユニット１２３から入力する。また、演出制御用ＣＰＵ１０１は、バイブレータ用モータ１２６に駆動信号を出力することにより、スティックコントローラ１２２を振動動作させる。
【０１０７】
払出制御基板３７には、インタフェース基板６６を介して、カードユニット５０が接続される。カードユニット５０は、払出制御基板３７に対して貸玉、獲得玉および貯玉などの遊技球の払出しを指示する信号を出力する。カードユニット５０には、各台計数機５が接続される。各台計数機５は、獲得玉検出スイッチ５０１による獲得玉数を特定可能な信号を、カードユニット５０に出力する。
【０１０８】
図４は、各乱数を示す説明図である。各乱数は、以下のように使用される。
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。
【０１０９】
（２）ランダム１（ＭＲ１）：大当りの種類（種別、通常大当り、確変大当り、および、突確大当りのいずれかの種別）および大当り図柄を決定する（大当り種別判定用、大当り図柄決定用）。
【０１１０】
（３）ランダム２（ＭＲ２）：変動パターンの種類（種別）を決定する（変動パターン種別判定用）。
【０１１１】
（４）ランダム３（ＭＲ３）：変動パターン（変動時間）を決定する（変動パターン判定用）。
【０１１２】
（５）ランダム４（ＭＲ４）：普通図柄に基づく当りを発生させるか否か決定する（普通図柄当り判定用）。
【０１１３】
（６）ランダム５（ＭＲ５）：ランダム４の初期値を決定する（ランダム４初期値決定用）。
【０１１４】
この実施の形態では、特定遊技状態である大当りとして、通常大当り、確変大当り、および、突然確変大当りという複数の種別が含まれている。したがって、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【０１１５】
また、当りとしては、小当りも含まれており、大当り判定用乱数（ランダムＲ）が小当り判定用乱数として兼用されている。そして、大当り判定用乱数（ランダムＲ）の値に基づいて小当りとする決定がされたときには、小当り図柄が、予め定められた図柄に決定される。
【０１１６】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。
【０１１７】
この実施の形態では、通常大当り、および、確変大当りである場合には、変動パターンが、ノーマルリーチを伴うノーマルリーチ変動パターン種別と、スーパーリーチを伴うスーパーリーチ変動パターン種別とに種別分けされている。このような変動パターン種別は、予め定められた割合で選択される。また、はずれである場合には、リーチを伴わない変動パターン種別である通常変動パターン種別と、ノーマルリーチ変動パターン種別と、スーパーリーチ変動パターン種別とに種別分けされている。
【０１１８】
このような変動パターン種別は、表示結果がはずれとなる場合に、時短状態であるときと、時短状態でないときとで、変動パターン種別の選択割合が異なる（時短状態では、時短状態でないときと比べて、通常変動パターン種別のような変動時間が短い変動パターン種別が選択される割合が高く設定されている）ように設定されていることにより、時短状態であるときには、時短状態でないときと比べて、変動時間が短縮される。
【０１１９】
なお、このような変動パターン種別は、変動表示をする各特別図柄の保留記憶数が所定数以上であるときと、所定数未満であるときとで選択割合が異なるように設定されることにより、変動表示をする各特別図柄の保留記憶数が所定数以上であるときには、各特別図柄の保留記憶数が所定数未満であるときと比べて、変動時間が短縮される保留数短縮制御を実行するようにしてもよい。
【０１２０】
図５は、大当り判定テーブル、小当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【０１２１】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い割振数（１０倍の割振数）の大当り判定値（確変時大当り判定値または第２大当り判定値という）が設定されている。これにより、確変状態には、通常状態よりも高い確率で大当りとする判定がなされる。
【０１２２】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【０１２３】
図５（Ｂ），（Ｃ）は、小当り判定テーブルを示す説明図である。小当り判定テーブルとは、ＲＯＭ５４に記憶されているデータの集まりであって、ランダムＲと比較される小当り判定値が設定されているテーブルである。
【０１２４】
図５（Ｂ)は、遊技球が第１始動入賞口１３に入賞したことに基づく保留記憶（第１保留記憶ともいう）を用いて小当りを判定する場合（第１特別図柄の変動表示が行なわれるとき）に用いる小当り判定テーブル（第１特別図柄用）である。
【０１２５】
図５（Ｃ)は、遊技球が第２始動入賞口１４に入賞したことに基づく保留記憶（第２保留記憶ともいう）を用いて小当りを判定する場合（第２特別図柄の変動表示が行なわれるとき）に用いる小当り判定テーブル（第２特別図柄用）である。
【０１２６】
小当り判定テーブルには、図５（Ｂ），（Ｃ）に記載されている各数値が小当り判定値として設定されている。
【０１２７】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、確変大当り、または、突然確変大当り）にすることに決定する。また、大当り判定用乱数値が図５（Ｂ），（Ｃ）に示すいずれかの小当り判定値に一致すると、特別図柄に関して小当りにすることに決定する。
【０１２８】
なお、図５（Ａ）に示す「確率」は、大当りになる確率（割合）を示す。また、図５（Ｂ），（Ｃ）に示す「確率」は、小当りになる確率（割合）を示す。
【０１２９】
また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。また、小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある。
【０１３０】
なお、この実施の形態では、図５（Ｂ），（Ｃ）に示すように、小当り判定テーブル（第１特別図柄用）を用いる場合には３００分の１の割合で小当りと決定されるのに対して、小当り判定テーブル（第２特別図柄用）を用いる場合には３０００分の１の割合で小当りと決定される場合を説明する。したがって、この実施の形態では、第１始動入賞口１３に始動入賞して第１特別図柄の変動表示が実行される場合には、第２始動入賞口１４に始動入賞して第２特別図柄の変動表示が実行される場合と比較して、「小当り」と決定される割合が高い。
【０１３１】
図５（Ｄ），（Ｅ）は、ＲＯＭ５４に記憶されている大当り種別判定テーブルを示す説明図である。図５（Ｄ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｅ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【０１３２】
図５（Ｄ）、および、図５（Ｅ）特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」、「確変大当り」、「突然確変大当り」のうちのいずれかに決定するとともに、大当り図柄を決定するために参照される。
【０１３３】
図５（Ｄ）の第１特別図柄大当り種別判定テーブルには、ランダム１の値と比較される数値であって、「通常大当り」、「確変大当り」、「突然確変大当り」のそれぞれに対応した判定値（大当り種別判定値）が設定されている。図５（Ｅ）の第２特別図柄大当り種別判定テーブルには、ランダム１の値と比較される数値であって、「通常大当り」、「確変大当り」、「突然確変大当り」のそれぞれに対応した判定値（大当り種別判定値）が設定されている。
【０１３４】
図５（Ｅ）の第２特別図柄大当り種別判定テーブルの方が、図５（Ｄ）の第１特別図柄大当り種別判定テーブルよりも、確変大当りに決定される割合が高い。これにより、第２特別図柄の変動表示の方が、第１特別図柄の変動表示よりも、確変大当りとなる割合が高くなる。なお、第１特別図柄大当り種別判定テーブルと第２特別図柄大当り種別判定テーブルとで、確変大当りに決定される割合が同じであってもよい。また、第１特別図柄大当り種別判定テーブルの方が、第２特別図柄大当り種別判定テーブルよりも、確変大当りに決定される割合が高くなるようにしてもよい。
【０１３５】
次に、図６および図７を用いて、遊技制御用マイクロコンピュータ５６０において、特別図柄および演出図柄の変動パターンを選択決定するために用いる変動パターンテーブルについて説明する。図６および図７は、変動パターンを決定するために用いる変動パターンテーブルを表形式で示す図である。
【０１３６】
図６には、（ａ）にはずれ時第１判定テーブル、（ｂ）にはずれ時第２判定テーブルが示されている。図７には、（ａ）に通常大当り時判定テーブル、（ｂ）に確変大当り時判定テーブル、（ｃ）に突然確変大当り／小当り時判定テーブルが示されている。図６（ａ），（ｂ）および図７（ａ），（ｂ），（ｃ）の各判定テーブルは、ＲＯＭ５４に記憶されており、遊技状態に応じて選択され、変動パターン種別および変動パターンを判定（決定）するために用いられる。
【０１３７】
図６および図７に示す判定テーブルのそれぞれは、ランダム２と変動パターン種別との関係を示す変動パターン種別判定テーブルと、各変動パターン種別についてランダム３と各種別に属する変動パターンとの関係を示す変動パターン判定テーブルとを含む。
【０１３８】
図６の各テーブルでの「変動パターン種別」または「変動パターン」の欄において、「通常」または「通常変動」は、リーチとならない通常変動パターンを示している。図６の各テーブルでの「変動パターン種別」または「変動パターン」の欄において、「擬似連ガセ」は、擬似連となるようにみせかけて擬似連とならない偽（ガセ）の変動パターンを示している。
【０１３９】
ここで、擬似連とは、本来は１つの保留記憶に対応する１回の変動であるものの複数の保留記憶に対応する複数回の変動が連続して行なわれているように見せる演出表示である擬似連続変動を示す略語である。
【０１４０】
また、擬似連とは、１の始動入賞に対して、あたかも複数回の図柄の変動表示（変動表示）が実行されたかのように見せるために、１の始動入賞に対して決定された変動時間内にて、全部の図柄列（左，中，右）について仮停止と、再変動とを所定回数実行する特殊な変動パターン（変動表示パターンともいう）のことを指す。たとえば、再変動の繰返し実行回数（擬似連の再変動回数ともいう）が多い程、大当りとなる信頼度（大当りとなるときとはずれとなるときとを含むすべての選択割合に対して大当りとなるときに選択される割合の度合い、大当りとなる割合の程度、すなわち、大当りとなる信頼性の度合い）が高くなる。より具体的には、大当りと決定されたときに選択される割合が高くなる。擬似連の変動パターンにおいては、演出表示装置９において仮停止される図柄の組合せが、仮停止図柄の組合せと呼ばれる。仮停止図柄の組合せは、大当り図柄の組合せ以外の図柄の組合せよりなる複数種類の擬似連出目のうちからいずれかの擬似連出目に決定される。
【０１４１】
図６および図７の各テーブルでの「変動パターン」の欄において、「擬似連１回〜４回」は、擬似連となる擬似連変動パターンを示している。「擬似連１回〜４回」のそれぞれの回数は、擬似連において実行される再変動の回数を示している。本実施の形態では、擬似連変動を実行した場合には、最終の再変動時において必ず最終的にリーチ状態として何らかのリーチ演出が実行される。したがって、擬似連の変動パターンは、すべて、リーチとなる変動パターンである。なお、擬似連変動を実行した場合に、リーチ演出が実行されない場合があるように制御してもよい。
【０１４２】
また、図６および図７の各テーブルでの「ノーマルリーチ」は、リーチ状態となったときに特に派手な演出を実行しないノーマルリーチの変動パターンを示している。「スーパーリーチ」は、リーチ状態となったときに特別な演出画像を表示するリーチ演出を行なう変動パターンを示している。
【０１４３】
また、前述したように、「スーパーリーチ」は、「ノーマルリーチ」と比べて大当りとなるときに選択される割合が高く、大当りとなる信頼度が高い変動パターンである。本実施の形態では、擬似連の変動パターンがすべて「スーパーリーチ」の変動パターンとして設定されている例を示すが、擬似連の変動パターンが「ノーマルリーチ」の変動パターンとして設定される場合があってもよい。
【０１４４】
「はずれ」は、変動表示の最終的な表示結果が「はずれ」の表示結果となる変動パターンである。「通常大当り」は、変動表示の最終的な表示結果が「通常大当り」の表示結果となる変動パターンである。「確変大当り」は、変動表示の最終的な表示結果が「確変大当り」の表示結果となる変動パターンである。「チャンス目」は、変動表示の最終的な表示結果が「チャンス目」の表示結果となる変動パターンである。
【０１４５】
これらの情報に基づいて、たとえば、「変動パターン」の欄に示された「スーパーリーチＡ（擬似連１回）  はずれ」という変動パターンは、「はずれ表示結果となるスーパーリーチＡの変動パターンであり、再変動が１回実行される擬似連となる変動パターン」であることが示される。
【０１４６】
図６および図７のテーブルで「ランダム２割振数」および「変動パターン種別」という記載がされた欄は、「ランダム２割振数」と「変動パターン種別」との関係を示す変動パターン種別判定テーブル部としての機能を示す欄である。たとえば、図６（ａ）を例にとれば、「通常」、「擬似連ガセ」、「ノーマルリーチ」、「スーパーリーチ」というような複数の変動パターン種別のそれぞれに、ランダム２（１〜２５１）のすべての値が複数の数値範囲に分けて割振られている。たとえば、図６（ａ）を例にとれば、所定のタイミングで抽出したランダム２の値が２５１個のうちの２２個に割振られた「スーパーリーチ」の判定値のいずれかの数値と合致すると、変動パターン種別として「スーパーリーチ」とすることが決定される。
【０１４７】
また、図６および図７のテーブルで「ランダム３割振数」および「変動パターン」という記載がされた欄は、「ランダム３割振数」と「変動パターン」との関係を示す変動パターン判定テーブル部としての機能を示す欄である。変動パターン種別判定テーブルの各種別に対応して示されている変動パターンが、各種別に属する変動パターンである。たとえば、図６（ａ）を例にとれば、「スーパーリーチ」の種別に属する変動パターンは、「スーパーリーチＡ  はずれ」、「スーパーリーチＢ  はずれ」、「スーパーリーチＣ  はずれ」、「スーパーリーチＤ  はずれ」、および、「スーパーリーチＥ  はずれ」である。
【０１４８】
各変動パターン種別に対応する複数の変動パターンのそれぞれに、ランダム３（１〜２２０）のすべての値が、複数の数値範囲に分けて割振られている。たとえば、図６（ａ）を例にとれば、「スーパーリーチ」の変動パターン種別とすることが決定されたときに、所定のタイミングで抽出したランダム３の値に応じて、「スーパーリーチＡ（擬似連１回）  はずれ」、「スーパーリーチＢ（擬似連２回）  はずれ」、「スーパーリーチＣ（擬似連３回）  はずれ」、および、「スーパーリーチＤ（擬似連４回）  はずれ」のうちから変動パターンが選択決定される。
【０１４９】
ここで、スーパーリーチＡは、擬似連で再変動を１回実行した後リーチ状態となる変動パターンである。スーパーリーチＢは、擬似連で再変動を２回実行した後リーチ状態となる変動パターンである。スーパーリーチＣは、擬似連で再変動を３回実行した後リーチ状態となる変動パターンである。スーパーリーチＤは、擬似連で再変動を４回実行した後リーチ状態となる変動パターンである。スーパーリーチＥは、擬似連とは異なる所定の演出を、擬似連となる変動パターンよりも短時間で実行した後リーチ状態となる変動パターンである。
【０１５０】
また、擬似連ガセでは、スーパーリーチＡ，Ｂ，Ｃ，Ｄで実行される特定演出（煽り演出）と同様の演出が実行された後、擬似連とならずにはずれ表示結果となる。したがって、擬似連ガセでは、擬似連となる変動パターンと見せかけるが、結果的に擬似連とならない演出が実行される。
【０１５１】
擬似連ガセ、および、スーパーリーチＡ，Ｂ，Ｃ，Ｄのそれぞれで実行される特定演出（煽り演出）としては、擬似連出目となるか否かを示唆する演出として、図柄の低速変動のみが実行されるときと、および、図柄の低速変動と操作演出とが組合されて実行されるときとがある。
【０１５２】
スーパーリーチＡ，Ｂ，Ｃ，Ｄは、特定演出（煽り演出）を実行した後、擬似連出目を導出表示するというような特定事象を発生させる演出を行なうことが共通している演出である。
【０１５３】
第１特別図柄または第２特別図柄について変動表示結果がはずれとなるときには、変動パターンを決定するために、次のように判定テーブルを選択する。非時短状態において、変動表示結果がはずれとなるときには、図６（ａ）のはずれ時第１判定テーブルを選択する。一方、時短状態において、変動表示結果がはずれとなるときには、図６（ｂ）のはずれ時第２判定テーブルを選択する。
【０１５４】
また、時短状態であるか否かにかかわらず第１特別図柄または第２特別図柄について変動表示結果が大当りとなるときには、変動パターンを決定するために、次のように判定テーブルを選択する。変動表示結果が通常大当りとなるときには、図７（ａ）の通常大当り時判定テーブルを選択する。時短状態であるか否かにかかわらず変動表示結果が確変大当りとなるときには、図７（ｂ）の確変大当り時判定テーブルを選択する。変動表示結果が突然確変大当りまたは小当りとなるときには、図７（ｃ）の突然確変大当り／小当り時判定テーブルを選択する。
【０１５５】
図６（ｂ）のはずれ時第２判定テーブルでは、図６（ａ）のはずれ時第１判定テーブルと比べて、リーチ変動（ノーマルリーチ変動およびスーパーリーチ変動を含む）よりも変動時間が短い通常変動（非リーチはずれ変動）に決定される割合が高く、通常変動よりも変動時間が長いリーチ変動に決定される割合が低くなるように、データが設定されている。
【０１５６】
これにより、非時短状態のときと比べて、時短状態のときの方が、変動時間が短い変動パターンが選択される割合が高いので、時短状態のときの方が、非時短状態のときよりも平均的に短い変動時間で変動表示が行なわれることとなる。このように判定テーブルを選択することにより時短状態を実現することができる。
【０１５７】
また、はずれとなるときに選択される図６（ａ）および図６（ｂ）の判定テーブルでは、リーチの種別の選択割合がノーマルリーチ＞スーパーリーチとなるような高低関係で選択されるようにデータが設定されている。一方、大当りとなるときに選択される図７（ａ）および図７（ｂ）の判定テーブルでは、リーチの種別の選択割合がノーマルリーチ＜スーパーリーチというような割合の高低関係で選択されるようにデータが設定されている。これにより、大当りとなるときには、はずれとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の期待感を高めることができる。
【０１５８】
また、大当りのうち確変大当りとなるときに選択される図７（ｂ）の判定テーブルでは、大当りのうち通常大当りとなるときに選択される図７（ａ）の判定テーブルと比べて、ノーマルリーチに対してスーパーリーチのリーチ演出の種別が選択される割合が高くなるようにデータが設定されている。これにより、確変大当りとなるときには、通常大当りとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の確変大当りへの期待感を高めることができる。
【０１５９】
また、はずれとなるときに選択される図６（ａ）および図６（ｂ）の判定テーブルでは、スーパーリーチの選択割合が、スーパーリーチＡ＞スーパーリーチＢ＞スーパーリーチＣ＞スーパーリーチＤとなるような高低関係で選択されるようにデータが設定されている。一方、大当りとなるときに選択される図７（ａ）および図７（ｂ）の判定テーブルでは、スーパーリーチの選択割合が、スーパーリーチＡ＜スーパーリーチＢ＜スーパーリーチＣ＜スーパーリーチＤとなるような高低関係で選択されるようにデータが設定されている。これにより、大当りとなるときには、はずれとなるときと比べて、擬似連となったときの再変動回数が多くなる割合が高くなるので、擬似連において再変動回数が多くなる程、遊技者の大当りへの期待感を高めることができる。
【０１６０】
また、確変大当りとなるときに選択される図７（ｂ）の判定テーブルでは、通常大当りとなるときに選択される図７（ａ）の判定テーブルと比べて、擬似連となったときの再変動回数が多くなる割合が高くなるようにデータが設定されている。これにより、確変大当りとなるときには、通常大当りとなるときと比べて、擬似連となったときの再変動回数が多くなる割合が高くなるので、擬似連において再変動回数が多くなる程、遊技者の確変大当りへの期待感を高めることができる。
【０１６１】
図８は、遊技制御用マイクロコンピュータ５６０が送信する演出制御コマンドの内容の一例を示す説明図である。遊技制御用マイクロコンピュータ５６０においては、図８に示すように、遊技制御状態に応じて、各種の演出制御コマンドを演出制御用マイクロコンピュータ１００へ送信する。
【０１６２】
図８のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、図６および図７に示すような使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【０１６３】
コマンド８Ｃ０１（Ｈ）〜８Ｃ０５（Ｈ）は、大当りまたは小当りとするか否か、および大当り種別を示す表示結果指定コマンドである。
【０１６４】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【０１６５】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１６６】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１６７】
図９は、タイマ割込処理を示すフローチャートである。タイマ割込が発生すると、ＣＰＵ５６は、図９に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１６８】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１６９】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１７０】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１７１】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１７２】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１７３】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１７４】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１７５】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１７６】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１７７】
その後、割込許可状態に設定し（Ｓ３４）、処理を終了する。以上の制御によって、この実施の形態では、遊技制御処理は所定時間毎に起動されることになる。
【０１７８】
図１０は、特別図柄プロセス処理（Ｓ２６）を示すフローチャートである。
特別図柄プロセス処理では第１特別図柄表示器８ａまたは第２特別図柄表示器８ｂおよび大入賞口を制御するための処理が実行される。特別図柄プロセス処理においては、まず、始動口スイッチ通過処理を実行する（Ｓ３１２）。そして、内部状態に応じて、Ｓ３００〜Ｓ３０７，Ｓ３０５Ａ〜Ｓ３０７Ａのうちのいずれかの処理を行なう。
【０１７９】
Ｓ３００〜Ｓ３０７，Ｓ３０５Ａ〜Ｓ３０７Ａの処理は、以下のような処理である。
特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定および変動時間タイマの計時開始等の制御を行なう処理である。
【０１８０】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると、特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１８１】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示の演出制御コマンドを演出制御用マイクロコンピュータ１００に送信する制御や大入賞口の閉成条件の成立を確認する処理等を行なう処理である。大入賞口の閉成条件が成立し、かつ、まだ残りラウンドがある場合には、大当り終了処理に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１８２】
小当り開放前処理（Ｓ３０５Ａ）は、小当りに応じて、特別可変入賞球装置２０において大入賞口を開放する制御等を行なう処理である。小当り開放中処理（Ｓ３０６Ａ）は、小当り遊技状態中のラウンド表示の演出制御コマンドを演出制御用マイクロコンピュータ１００に送信する制御や大入賞口の閉成条件の成立を確認する処理等を行なう処理である。大入賞口の閉成条件が成立し、かつ、まだ残りラウンドがある場合には、小当り終了処理に移行する。小当り終了処理（Ｓ３０７Ａ）は、小当り遊技状態が終了したことを遊技者に報知する表示制御を演出制御用マイクロコンピュータ１００に行なわせるための制御等を行なう処理である。
【０１８３】
大当り終了処理においては、後述するように大当りの種別に応じて遊技状態が変更される。一方、本実施の形態において、小当り終了処理においては、遊技状態は変更されない。
【０１８４】
なお、突然確変大当りと小当りとを区別し難くするため、小当り遊技状態中のラウンド表示、および、小当り遊技状態が終了したことの報知は、突然確変大当りの場合の大当り遊技状態中のラウンド表示、および、大当り遊技状態が終了したことの報知と、共通とされる、または、区別し難くされる。
【０１８５】
図１１は、Ｓ３１２の始動口スイッチ通過処理を示すフローチャートである。始動口スイッチ通過処理において、ＣＰＵ５６は、オンしたのが第１始動口スイッチ１３ａであるか否かを確認する（Ｓ２１１）。第１始動口スイッチ１３ａがオンしていれば、ＣＰＵ５６は、第１保留記憶数が上限値に達しているか否か（具体的には、第１保留記憶数をカウントするための第１保留記憶数カウンタの値が４であるか否か）を確認する（Ｓ２１２）。第１保留記憶数が上限値に達していれば、Ｓ２２１に移行する。
【０１８６】
第１保留記憶数が上限値に達していなければ、ＣＰＵ５６は、第１保留記憶数カウンタの値を１増やす（Ｓ２１３）。
【０１８７】
ここで、遊技制御用マイクロコンピュータ５６０側での保留記憶に対応する乱数等のデータ（保留記憶データ）を保存する領域（保留記憶バッファ）の構成例を説明する。
【０１８８】
遊技制御用マイクロコンピュータ５６０側において、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数であるランダムＲ（大当り判定用乱数）等のデータが記憶される。
【０１８９】
このような第１判定結果保留記憶バッファにおいては、第１始動入賞口１３への始動入賞に基づいて得られる大当り判定用乱数等の保留記憶データが記憶される。第２判定結果保留記憶バッファにおいては、第２始動入賞口１４への始動入賞に基づいて得られる大当り判定用乱数等の保留記憶データに対応する判定結果保留記憶データが記憶される。
【０１９０】
次に、ＣＰＵ５６は、乱数回路５０３やソフトウェア乱数を生成するためのカウンタから値を抽出し、それらを、第１保留記憶バッファにおける保存領域に保存（格納）する処理を実行する（Ｓ２１４）。具体的に、Ｓ２１４の処理では、大当り判定用乱数（ランダムＲ）、大当り種別判定用乱数（ランダム１）、変動パターン種別判定用乱数（ランダム２）、および、変動パターン判定用乱数（ランダム３）が保存（格納）される。以下の保留記憶に関する説明に関しては、このように第１保留記憶バッファまたは第２保留記憶バッファに前述のような始動入賞に関する情報が記憶されることを「保留記憶される」と示す場合がある。
【０１９１】
そして、ＣＰＵ５６は、検出した始動入賞に基づく変動がその後実行されたときの変動表示結果を始動入賞時に予め判定する入賞時演出処理を実行する（Ｓ２１５）。次いで、ＣＰＵ５６は、第１保留記憶数指定コマンドを送信する制御を行なう（Ｓ２１６）。また、演出制御用マイクロコンピュータ１００に演出制御コマンドを送信する場合には、ＣＰＵ５６は、演出制御コマンドに応じたコマンド送信テーブル（予めＲＯＭにコマンド毎に設定されている）のアドレスをポインタにセットする。そして、演出制御コマンドに応じたコマンド送信テーブルのアドレスをポインタにセットして、演出制御コマンド制御処理（Ｓ２９）において演出制御コマンドを送信する。
【０１９２】
Ｓ２１１で第１始動口スイッチがオン状態でないと判定された場合、Ｓ２１２で第１保留記憶数が上限値に達していると判定された場合、または、Ｓ２１６で第１始動入賞指定コマンドを送信する制御を行なった後に、ＣＰＵ５６は、第２始動口スイッチ１４ａがオンしたか否かを確認する（Ｓ２２１）。第２始動口スイッチ１４ａがオンしていれば、ＣＰＵ５６は、第２保留記憶数が上限値に達しているか否か（具体的には、第２保留記憶数をカウントするための第２保留記憶数カウンタの値が４であるか否か）を確認する（Ｓ２２２）。第２保留記憶数カウンタの値が４であれば、処理を終了する。
【０１９３】
第２保留記憶数が上限値に達していなければ、ＣＰＵ５６は、第２保留記憶数カウンタの値を１増やす（Ｓ２２３）。次いで、ＣＰＵ５６は、乱数回路５０３やソフトウェア乱数を生成するためのカウンタから値を抽出し、それらを、第２保留記憶バッファにおける保存領域に保存（格納）する処理を実行する（Ｓ２２４）。
【０１９４】
そして、ＣＰＵ５６は、検出した始動入賞に基づく変動がその後実行されたときの変動表示結果を始動入賞時に予め判定する入賞時演出処理を実行する（Ｓ２２５）。次いで、ＣＰＵ５６は、第２保留記憶数指定コマンドを送信する制御を行ない（Ｓ２２６）処理を終了する。
【０１９５】
図１２は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、処理を終了する。
【０１９６】
第１保留記憶バッファまたは第２保留記憶バッファに保留記憶データがあるときには、ＣＰＵ５６は、第２保留記憶バッファの方に保留記憶データがあるか否か確認する（Ｓ５２）。第２保留記憶バッファに保留記憶データがあれば、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５４）。一方、第２保留記憶バッファに保留記憶データがなければ、特別図柄ポインタに「第１」を示すデータを設定する（Ｓ５３）。
【０１９７】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１９８】
Ｓ５２〜Ｓ５４の制御により、第２保留記憶バッファ内に第２保留記憶のデータが１つでも存在すれば、その第２保留記憶のデータに基づいた第２特別図柄表示器８ｂの変動表示が、第１保留記憶のデータに基づいた第１特別図柄表示器８ａの変動表示に優先して実行される。
【０１９９】
次いで、ＣＰＵ５６は、ＲＡＭ５５において、特別図柄ポインタが示す方の保留記憶数＝１に対応する保存領域に格納されている各乱数値を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の保留記憶バッファに格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の保留記憶バッファに格納する。
【０２００】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０２０１】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。
【０２０２】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。
【０２０３】
また、ＣＰＵ５６は、減算後の特別図柄ポインタが示す方の保留記憶数カウンタの値に基づいて、特別図柄ポインタが示す方の保留記憶数指定コマンドを演出制御用マイクロコンピュータ１００に送信する制御を行なう（Ｓ５７）。この場合、特別図柄ポインタに「第１」を示す値が設定されている場合には、ＣＰＵ５６は、第１保留記憶数指定コマンドを送信する制御を行なう。また、特別図柄ポインタに「第２」を示す値が設定されている場合には、ＣＰＵ５６は、第２保留記憶数指定コマンドを送信する制御を行なう。
【０２０４】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０２０５】
次に、現在の遊技状態に応じた遊技状態指定コマンドを演出制御用マイクロコンピュータ１００に送信する制御を行なう（Ｓ５８）。たとえば、現在の遊技状態が、高確フラグおよび高ベースフラグがオンである、つまり、高確高ベース状態であれば、図８で示した高確率／高ベース状態指定コマンドを送信する。
【０２０６】
次いで、ＣＰＵ５６は、保留記憶バッファからランダムＲ（大当り判定用乱数）を読出し、大当り判定モジュールを実行する（Ｓ６０）。なお、この場合、ＣＰＵ５６は、始動口スイッチ通過処理のＳ２１４や始動口スイッチ通過処理のＳ２２４で抽出し第１保留記憶バッファや第２保留記憶バッファに予め格納した大当り判定用乱数を読出し、大当り判定を行なう。大当り判定モジュールは、予め決められている大当り判定値（図５参照）と大当り判定用乱数とを比較し、それらが一致したら大当りとすることに決定する処理を実行するプログラムである。すなわち、大当り判定の処理を実行するプログラムである。
【０２０７】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、予め大当り判定値の数が多く設定されている確変時大当り判定テーブル（ＲＯＭ５４における図５（Ａ）の右側の数値が設定されているテーブル）と、大当り判定値の数が確変時大当り判定テーブルよりも少なく設定されている通常時大当り判定テーブル（ＲＯＭ５４における図５（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行ない、遊技状態が通常遊態や時短状態であるときは、通常時大当り判定テーブルを使用して大当りの判定の処理を行なう。すなわち、ＣＰＵ５６は、大当り判定用乱数（ランダムＲ）の値が図５（Ａ）に示すいずれかの大当り判定値に一致すると、特別図柄に関して大当りとすることに決定する。大当りとすることに決定した場合には（Ｓ６０）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０２０８】
なお、現在の遊技状態が確変状態であるか否かの確認は、高確フラグがセットされているか否かにより行なわれる。高確フラグは、遊技状態を確変状態に移行するときにセットされ、確変状態を終了するときにリセットされる。具体的に、高確フラグは、大当り遊技を終了する処理においてセットされ、その後、次回の大当りが決定されたという条件が成立したときに、特別図柄の変動表示を終了して停止図柄を停止表示するタイミングでリセットされる。なお、高確フラグが、所定回数の変動表示が行なわれたという条件と、次回の大当りが決定されたという条件とのいずれか早い方の条件が成立したときに、リセットされるようにしてもよい。
【０２０９】
大当り判定用乱数（ランダムＲ）の値がいずれの大当り判定値にも一致しなければ（Ｓ６０のＮ）、ＣＰＵ５６は、小当り判定テーブル（図５（Ｂ），（Ｃ）参照）を使用して小当りの判定の処理を行なう。すなわち、ＣＰＵ５６は、大当り判定用乱数（ランダムＲ）の値が図５（Ｂ），（Ｃ）に示すいずれかの小当り判定値に一致すると、特別図柄に関して小当りとすることに決定する。この場合、ＣＰＵ５６は、特別図柄ポインタが示すデータを確認し、特別図柄ポインタが示すデータが「第１」である場合には、図５（Ｂ）に示す小当り判定テーブル（第１特別図柄用）を用いて小当りとするか否かを決定する。また、特別図柄ポインタが示すデータが「第２」である場合には、図５（Ｃ）に示す小当り判定テーブル（第２特別図柄用）を用いて小当りとするか否かを決定する。そして、小当りとすることに決定した場合には（Ｓ６２）、ＣＰＵ１０３は、小当りであることを示す小当りフラグをセットし（Ｓ６３）、後述するＳ７５に処理を進める。
【０２１０】
なお、大当り判定用乱数（ランダムＲ）の値が大当り判定値および小当り判定値のいずれにも一致しない場合には（Ｓ６２のＮ）、すなわち、はずれである場合には、そのままＳ７５に移行する。
【０２１１】
Ｓ６０において大当り判定用乱数（ランダムＲ）の値がいずれかの大当り判定値に一致すればＣＰＵ５６は、大当りであることを示す大当りフラグをセットする（Ｓ７１）。なお、大当りフラグは、大当り遊技が終了するときにリセットされる。そして、大当り種別を複数種類のうちのいずれかに決定するために使用するテーブルとして、図５（Ｄ）の第１特別図柄大当り種別判定用テーブルおよび図５（Ｅ）の第２特別図柄大当り種別判定用テーブルのうち、いずれかのテーブルを選択する（Ｓ７２）。
【０２１２】
具体的に、ＣＰＵ５６は、特別図柄ポインタが「第１」を示している場合には、図５（Ｄ）に示す第１特別図柄大当り種別判定用テーブルを選択する。また、ＣＰＵ５６は、特別図柄ポインタが「第２」を示している場合において、図５（Ｅ）の第２特別図柄大当り種別判定用テーブルを選択する。
【０２１３】
次いで、ＣＰＵ５６は、始動口スイッチ通過処理で抽出し第１保留記憶バッファや第２保留記憶バッファに予め格納した大当り種別判定用乱数を読出し、Ｓ７２で選択した大当り種別判定テーブルを用いて、保留記憶バッファに格納された大当り種別判定用の乱数（ランダム１）の値と一致する値に対応した大当り種別および大当り図柄を決定する（Ｓ７３）。
【０２１４】
また、ＣＰＵ５６は、決定した大当りの種別を示大当り種別データをＲＡＭ５５における大当り種別バッファに設定する（Ｓ７４）。たとえば、大当り種別が「通常大当り」の場合には、大当り種別データとして「０１」が設定される。大当り種別が「確変大当り」の場合には、大当り種別データとして「０２」が設定される。大当り種別が「突然確変大当り」の場合には大当り種別を示すデータとして「０３」が設定される。
【０２１５】
次いで、ＣＰＵ５６は、特別図柄の停止図柄を設定する（Ｓ７５）。具体的には、大当りフラグがセットされていない場合には、はずれ図柄となる「−」を特別図柄の停止図柄として設定する。大当りフラグがセットされている場合には、大当り種別の決定結果に応じて、Ｓ７３により決定された大当り図柄を特別図柄の停止図柄に設定する。すなわち、大当り種別が「通常大当り」に決定されたときには「３」を特別図柄の停止図柄に設定する。大当り種別が「確変大当り」に決定した場合には「７」を特別図柄の停止図柄に設定する。大当り種別が「突然確変大当り」に決定した場合には「５」を特別図柄の停止図柄に設定する。「小当り」に決定した場合には「１」を特別図柄の停止図柄に設定する。
【０２１６】
そして、特別図柄プロセスフラグの値を変動パターン設定処理（Ｓ３０１）に対応した値に更新する（Ｓ７６）。
【０２１７】
図１３は、特別図柄プロセス処理における変動パターン設定処理（Ｓ３０１）を示すフローチャートである。
【０２１８】
変動パターン設定処理において、ＣＰＵ５６は、大当りフラグがセットされているか否か確認する（Ｓ９１）。大当りフラグがセットされている場合は、大当りとすることが決定されているときであり、ＣＰＵ５６は、Ｓ７４で記憶された大当り種別情報と、非時短状態と時短状態とのうちどの状態にあるかを示す時短情報とに応じて、変動パターン種別および変動パターンを決定するために使用するテーブルとして、前述した判定テーブルの選択条件に基づいて、図６および図７に示す、はずれ時第１判定テーブル、はずれ時第２判定テーブル、通常大当り時判定テーブル、確変大当り時判定テーブル、および、突然確変大当り／小当り時判定テーブルのうちいずれかを選択する。
【０２１９】
ここで、時短情報は、時短状態であるか否かを示す情報である。時短情報は、高ベースフラグがセットされているときには、時短状態であることを示し、高ベースフラグがセットされていないときには、非時短状態であることが示される。
【０２２０】
Ｓ９１で大当りフラグがセットされているときは、Ｓ７４で記憶された大当り種別データに基づいて、大当りが確変大当りであるか否かを確認する（Ｓ９２）。確変大当りであるときは、大当りが突然確変大当りであるか否かを確認する（Ｓ９２Ａ）。突然確変大当りでないとき、つまり、確変大当りであるときは、図７（ｂ）の確変大当り時判定テーブルを選択し（Ｓ９３）、Ｓ１４４に進む。突然確変大当りであるときは、図７（ｃ）の突然確変大当り／小当り時判定テーブルを選択し（Ｓ９３Ａ）、Ｓ１４４に進む。一方、通常大当りであるときは、図７（ａ）の通常大当り時判定テーブルを選択し（Ｓ９４）、Ｓ１４４に進む。
【０２２１】
また、Ｓ９１で大当りフラグがセットされていないときは、小当りフラグがセットされているか否かを確認する（Ｓ９１Ａ）。小当りフラグがセットされている場合は、図７（ｃ）の突然確変大当り／小当り時判定テーブルを選択し（９１Ｂ）、Ｓ１４４に進む。
【０２２２】
また、Ｓ９１Ａで小当りフラグがセットされていないとき、すなわち、はずれのときは、高ベースフラグがセットされているか否かを確認する（Ｓ９５）。高ベースフラグがセットされていないときは、図６（ａ）のはずれ時第１判定テーブルを選択し（Ｓ９６）、Ｓ１４４に進む。一方、高ベースフラグがセットされているときは、図６（ｂ）のはずれ時第２判定テーブルを選択し（Ｓ９７）、Ｓ１４４に進む。
【０２２３】
これにより、遊技状態に応じて、変動パターン種別および変動パターンを決定するために使用するテーブルとして、前述したような判定テーブルの選択条件に基づいて、図６および図７に示されるはずれ時第１判定テーブル、はずれ時第２判定テーブル、通常大当り時判定テーブル、確変大当り時判定テーブル、および、突然確変大当り／小当り時判定テーブルのうちいずれかが選択される。
【０２２４】
次いで、Ｓ１１４において、ＣＰＵ５６は、保留記憶バッファ（第１保留記憶バッファまたは第２保留記憶バッファ）からランダム２（変動パターン種別判定用乱数）を読出し、Ｓ９２，Ｓ９３，Ｓ９６またはＳ９７の処理で選択した判定テーブルにおける変動パターン種別判定テーブル部のデータを参照することによって、変動パターン種別を複数種類のうちのいずれかに決定する（Ｓ１１４）。
【０２２５】
次いで、ＣＰＵ５６は、保留記憶バッファ（第１保留記憶バッファまたは第２保留記憶バッファ）からランダム３（変動パターン判定用乱数）を読出し、Ｓ９２，Ｓ９３，Ｓ９６またはＳ９７の処理で選択した判定テーブルにおいて、変動パターン判定テーブル部におけるＳ１１４で決定した変動パターン種別に関するデータを参照することによって、変動パターンを複数種類のうちのいずれかに決定する（Ｓ１１５）。
【０２２６】
次いで、決定した変動パターンに対応する演出制御コマンド（変動パターンコマンド）を、演出制御用マイクロコンピュータ１００に送信する制御を行なう（Ｓ１１６）。
【０２２７】
また、特別図柄の変動を開始する（Ｓ１１７）。たとえば、Ｓ３２の特別図柄表示制御処理で参照される特別図柄に対応した開始フラグをセットすることにより、第１特別図柄表示器８ａまたは第２特別図柄表示器８ｂにおいて、前述のように変動表示を開始させる。特別図柄ポインタに「第１」を示すデータが設定されている場合には第１特別図柄表示器８ａでの第１特別図柄の変動表示を開始させ、特別図柄ポインタに「第２」を示すデータが設定されている場合には第２特別図柄表示器８ｂでの第２特別図柄の変動表示を開始させる。また、ＲＡＭ５５に形成されている変動時間タイマに、選択された変動パターンに対応した変動時間に応じた値を設定する（Ｓ１１８）。そして、特別図柄プロセスフラグの値を表示結果指定コマンド送信処理（Ｓ３０２）に対応した値に更新する（Ｓ１１９）。
【０２２８】
前述した表示結果指定コマンド送信処理（Ｓ３０２）においては、ＣＰＵ５６が、決定されている大当りの種類、小当り、または、はずれに応じて、表示結果を指定する表示結果１指定〜表示結果５指定コマンドのいずれかの演出制御コマンド（図８参照）を送信する制御を行なう。
【０２２９】
また、前述した特別図柄変動中処理（Ｓ３０３）においては、ＣＰＵ５６は、変動時間タイマを１減算し、変動時間タイマがタイムアウトしたら、特別図柄プロセスフラグの値を特別図柄停止処理（Ｓ３０４）に対応した値に更新し、特別図柄停止処理に進む。
【０２３０】
図１４は、特別図柄プロセス処理における特別図柄停止処理（Ｓ３０４）を示すフローチャートである。
【０２３１】
特別図柄停止処理において、ＣＰＵ５６は、ステップＳ３２の特別図柄表示制御処理で参照される終了フラグをセットして特別図柄の変動を終了させ、第１特別図柄表示器８ａまたは第２特別図柄表示器８ｂに停止図柄を導出表示する制御を行う（ステップＳ１３１）。なお、特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。また、演出制御用マイクロコンピュータ１００に図柄確定指定コマンドを送信する制御を行う（ステップＳ１３２）。そして、大当りフラグがセットされていない場合には、ステップＳ１４０に移行する（ステップＳ１３３）。
【０２３２】
大当りフラグがセットされている場合には、ＣＰＵ５６は、セットされていれば、確変状態であることを示す高確フラグ、ならびに、時短状態および電チューサポート制御状態であることを示す高ベースフラグをリセットし（ステップＳ１３４）、演出制御用マイクロコンピュータ１００に、大当り開始指定コマンドまたは小当り／突然確変大当り開始指定コマンドを送信する制御を行う（ステップＳ１３５）。具体的には、大当りの種別が通常大当りおよび確変大当りである場合には、大当り開始指定コマンドを送信する。小当りおよび大当りの種別が突然確変大当りである場合には、小当り／突然確変大当り開始指定コマンドを送信する。なお、大当りの種別が通常大当り、確変大当りまたは突然確変大当りのいずれであるかは、ＲＡＭ５５に記憶されている大当り種別を示すデータ（大当り種別バッファに記憶されているデータ）にもとづいて判定される。
【０２３３】
また、ＣＰＵ５６は、演出制御用マイクロコンピュータ１００に低確率／低ベース状態指定指定コマンドを送信する制御を行う（ステップＳ１３６）。
【０２３４】
また、大当り表示時間タイマに大当り表示時間（大当りが発生したことを、例えば、演出表示装置９において報知する時間）に相当する値を設定する（ステップＳ１３７）。また、大入賞口開放回数カウンタに開放回数（例えば、通常大当りまたは確変大当りの場合には１５回。突然確変大当りまたは小当りの場合には２回。）をセットする（ステップＳ１３８）。そして、特別図柄プロセスフラグの値を大入賞口開放前処理（ステップＳ３０５）に対応した値に更新する（ステップＳ１３９）。
【０２３５】
ステップＳ１４０では、ＣＰＵ５６は、高確フラグがオンでない、つまり、高確フラグがオフであるか否かを判断する（ステップＳ１４０）。高確フラグがオフであると判断した場合、ＣＰＵ５６は、高ベースフラグがオンであるか否かを判断する（ステップＳ１４１）。つまり、ステップＳ１４０およびステップＳ１４１で、高確フラグがオフかつ高ベースフラグがオンの状態（低確高ベース状態）、つまり、通常大当り後の状態であるか否かを判断する。
【０２３６】
低確高ベース状態であれば、ＣＰＵ５６は、高ベースの残り回数を計数するための高ベースカウンタの値を１減算する（ステップＳ１４２）。そして、高ベースカウンタの値が０になったか否かを判断する（ステップＳ１４３）。高ベースカウンタの値が０になったと判断した場合、高ベースフラグをクリアする（ステップＳ１４４）。ステップＳ１４４の後、および、低確高ベース状態でないと判断した場合、ＣＰＵ５６は、実行する処理をステップＳ１４５の処理に進める。
【０２３７】
次に、ステップＳ１４５では、ＣＰＵ５６は、小当りフラグがオンであるか否かを判断する。小当りフラグがオンであると判断した場合、ＣＰＵ５６は、特別図柄プロセスフラグの値を小当り開放前処理（ステップＳ３０５Ａ）に対応した値に更新する（ステップＳ１４６）。一方、小当りフラグがオンでないと判断した場合、ＣＰＵ５６は、特別図柄プロセスフラグの値を特別図柄通常処理（ステップＳ３００）に対応した値に更新する（ステップＳ１４９）。
【０２３８】
これにより、変動表示の結果、大当りとなるときには、大入賞口開放前処理（Ｓ３０５）、大入賞口開放中処理（Ｓ３０６）、および、大当り終了処理（Ｓ３０７）が実行されることにより、大当り遊技状態に制御される。また、変動表示の結果、小当りとなるときには、小当り開放前処理（Ｓ３０５Ａ）、小当り開放中処理（Ｓ３０６Ａ）、および、小当り終了処理（Ｓ３０７Ａ）が実行されることにより、小当り遊技状態に制御される。
【０２３９】
図１５は、特別図柄プロセス処理における大当り終了処理（ステップＳ３０７）を示すフローチャートである。大当り終了処理において、ＣＰＵ５６は、大当り終了表示タイマが設定されているか否か確認する（ステップＳ１６０）。大当り終了表示タイマが設定されている場合には、ステップＳ１６４に移行する。
【０２４０】
大当り終了表示タイマが設定されていない場合には、大当りフラグをリセットし（ステップＳ１６１）、大当り終了指定コマンドまたは小当り／突然確変大当り終了指定コマンドを送信する制御を行う（ステップＳ１６２）。通常大当りまたは確変大当りであった場合には大当り終了指定コマンドを送信し、突然確変大当りであった場合には小当り／突然確変大当り終了指定コマンドを送信する。そして、大当り終了表示タイマに、演出表示装置９において大当り終了表示が行われている時間（大当り終了表示時間）に対応する表示時間に相当する値を設定し（ステップＳ１６３）、処理を終了する。
【０２４１】
ステップＳ１６４では、大当り終了表示タイマの値を１減算する。そして、ＣＰＵ５６は、大当り終了表示タイマの値が０になっているか否か、すなわち大当り終了表示時間が経過したか否か確認する（ステップＳ１６５）。経過していなければ処理を終了する。
【０２４２】
大当り終了表示時間を経過していれば（ステップＳ１６５でＹＥＳの場合）、ＣＰＵ５６は、大当りの種別が通常大当りであるか否かを確認する（ステップＳ１６６）。なお、通常大当りであるか否かは、具体的には、特別図柄通常処理のステップＳ７４で大当り種別バッファに設定されたデータによって判定できる。
【０２４３】
通常大当りであれば、ＣＰＵ５６は、高ベースフラグをセットして遊技状態を高ベース状態に移行させる（ステップＳ１６７）。そして、ステップＳ１７４に移行する。
【０２４４】
通常大当りでない場合、ＣＰＵ５６は、ステップＳ１６６と同様の方法で、大当りの種別が確変大当りであるか否かを確認する（ステップＳ１７０）。確変大当りであれば、ＣＰＵ５６は、高確フラグをセットするとともに（ステップＳ１７０Ａ）、高ベースフラグをセットして（ステップＳ１７０Ｂ）、遊技状態を高確高ベース状態に移行させる。そして、ステップＳ１７４に移行する。
【０２４５】
確変大当りでない場合、ＣＰＵ５６は、ステップＳ１６６と同様の方法で、大当りの種別が突然確変大当りであるか否かを確認する（ステップＳ１７２Ａ）。突然確変大当りであれば、ＣＰＵ５６は、高確フラグをセットして（ステップＳ１７２Ｂ）、遊技状態を高確率低ベース状態に移行させる。そして、ステップＳ１７４に移行する。
【０２４６】
そして、ＣＰＵ５６は、特別図柄プロセスフラグの値を特別図柄通常処理（ステップＳ３００）に対応した値に更新する（ステップＳ１７４）。
【０２４７】
このように、大当り終了処理（Ｓ３０７）において、確変大当りの終了時には、高確フラグおよび高ベースフラグがセットされ、通常大当りの終了時には、高ベースフラグがセットされ、突然確変大当りの終了時には、高確フラグがセットされる。これにより、確変大当りの終了後には、高確状態および高ベース状態に制御され、通常大当りの終了後には、高ベース状態に制御され、突然確変大当りの終了時には、高確状態に制御される。
【０２４８】
次に、演出制御用マイクロコンピュータ１００の動作を説明する。図１６は、演出制御基板８０に搭載されている演出制御用マイクロコンピュータ１００（具体的には、演出制御用ＣＰＵ１０１）が実行する演出制御メイン処理を示すフローチャートである。
【０２４９】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０２５０】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０２５１】
次いで、演出制御用マイクロコンピュータ１００が用いる乱数（演出図柄の左停止図柄決定用のＳＲ１−１、演出図柄の中停止図柄決定用のＳＲ１−２、および、演出図柄の右停止図柄決定用のＳＲ１−３を含む各種乱数）を生成するためのカウンタのカウント値を更新する乱数更新処理を実行する（Ｓ７０６）。このような乱数ＳＲ１−１〜ＳＲ１−３のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０２５２】
また、第１保留記憶表示部および第２保留記憶表示部の表示状態の制御を行なう保留記憶表示制御処理を実行する（Ｓ７０７）。具体的に、前述の第１保留記憶数記憶領域に記憶された第１保留記憶数のデータに対応して第１保留記憶表示部において第１保留記憶数を表示する制御を行なう。また、前述の第２保留記憶数記憶領域に記憶された第２保留記憶数のデータに対応して第２保留記憶表示部において第２保留記憶数を表示する制御を行なう。その後、Ｓ７０８に移行する。
【０２５３】
次に、演出制御用ＣＰＵ１０１は、カードの返却忘れ防止設定の操作が行なわれたか否かを判断する（ステップＳ７０８）。
【０２５４】
具体的には、プッシュボタン１２０が操作されることで、メニュー画面が表示され、そのメニュー画面に表示される選択肢の１つとしてカード返却忘れ防止設定の選択肢があり、その選択肢が、スティックコントローラ１２２で選択された状態で、プッシュボタン１２０が操作されると、カード返却忘れ防止設定の画面が表示される。
【０２５５】
その画面に、カード返却忘れ防止設定におけるカードの返却を促す旨の報知の報知タイミングの選択肢として、通常大当り図柄導出時、高ベース状態終了時、全ての大当り図柄導出時、および、賞球が得られる大当り図柄導出時（たとえば、大入賞口の開放時間が極端に短くない大当り、本実施の形態においては、通常大当り、確変大当り）のいずれかを選択する選択肢が表示される。なお、いずれか複数の選択肢を選択可能なようにしてもよい。また、賞球が得られる大当りおよび高ベース状態終了時の両方または一方は必ず選択される固定の報知タイミングであることとしてもよい。
【０２５６】
この画面で、いずれかの選択肢が、スティックコントローラ１２２で選択された状態で、プッシュボタン１２０が操作されると、選択された選択肢のタイミングが、報知タイミングとして設定される。
【０２５７】
なお、スティックコントローラ１２２の操作によってカーソルが移動されて、プッシュボタン１２０が操作されたときに、カーソルの指しているものが選択されるようにしてもよい。
【０２５８】
また、いずれの報知タイミングが設定された場合であっても、潜伏演出を実行するときは報知がされないようにしてもよい。さらに、潜伏演出で報知をしなかった場合には潜伏演出が終了したときに報知を行なうようにしてもよい。
【０２５９】
これらの一連の操作が行なわれることで、カードの返却忘れ防止設定の操作が行なわれたと判断される。操作が行なわれた（ステップＳ７０８でＹＥＳ）と判断した場合、演出制御用ＣＰＵ１０１は、操作に応じて、報知タイミングを、通常大当り図柄導出時、高ベース状態終了時、全ての大当り図柄導出時、および、賞球が得られる大当り図柄導出時のいずれか少なくとも１つを設定する（ステップＳ７０９）。ステップＳ７０９の後、および、カードの返却忘れ防止設定の操作が行なわれていない（ステップＳ７０８でＮＯ）と判断した場合、演出制御用ＣＰＵ１０１は、実行する処理をステップＳ７０２に戻す。
【０２６０】
なお、ステップＳ７０９の設定は、電源投入後、所定期間（たとえば、５分）だけ有効としてもよい。また、所定期間内に設定操作がなされない場合には、本実施の形態においては、賞球が得られる大当り図柄導出時および高ベース状態終了時に報知を行なう設定が、自動的に行なわれるようにしてもよい。
【０２６１】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０２６２】
図１７は、図１６に示された演出制御メイン処理における演出制御プロセス処理（Ｓ７０５）を示すフローチャートである。演出制御プロセス処理では、演出制御用ＣＰＵ１０１は、演出制御プロセスフラグの値に応じてＳ８００〜Ｓ８０７のうちのいずれかの処理を行なう。各処理において、以下のような処理を実行する。なお、演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０２６３】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０２６４】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０２６５】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行し、最終ラウンドが終了していれば、大当り終了処理に移行する。ラウンド後処理（Ｓ８０６）は、ラウンド間の表示制御を行なう処理である。ラウンド開始条件が成立したら、ラウンド中処理に移行する。大当り終了演出処理（Ｓ８０７）は、演出表示装置９において、大当り遊技状態が終了したことを遊技者に報知する表示制御を行なう処理である。
【０２６６】
演出制御用ＣＰＵ１０１は、変動表示の開始時から変動表示の停止時まで、および、大当り遊技状態の開始時から大当り遊技状態の終了時までの予め定められた演出制御期間中において、ＲＯＭ１０２に格納されたプロセステーブルに設定されているプロセスデータにしたがって演出表示装置９等の演出装置（演出用部品）の制御を行なう。
【０２６７】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０２６８】
図１８は、演出制御プロセス処理における演出図柄変動開始処理（Ｓ８０１）を示すフローチャートである。演出図柄変動開始処理において、演出制御用ＣＰＵ１０１は、次のような処理を行なう。
【０２６９】
演出図柄変動開始処理においては、演出制御用ＣＰＵ１０１は、変動表示結果を確変大当りまたは通常大当りとすることに決定されているか否か確認する（Ｓ５００）。確変大当りまたは通常大当りとすることに決定されている（Ｓ５００でＹＥＳ）と判断した場合、大当りの種別に応じて、大当り図柄の組合せを構成する演出図柄の停止図柄を決定し（Ｓ５０１）、Ｓ５０８へ処理を進める。
【０２７０】
Ｓ５０１では、次のように、大当りの種別に応じて当り図柄の組合せを決定する。表示結果２指定コマンドと表示結果３指定コマンドとのうちの、いずれの表示結果指定コマンドが表示結果特定コマンド格納領域に格納されているかに基づいて、通常大当りと、確変大当りとのうちから、大当りの種別を判定する。確変大当りにすることに決定されていると判定したときには、所定のタイミングでＳＲ１−１から数値データ（乱数）を抽出し、ＳＲ１−１と確変大当り図柄の組合せ（たとえば、左，中，右が「７，７，７」等の奇数のゾロ目の組合せ）との関係が設定されたデータテーブル（確変大当り図柄決定用テーブル）を用いて、抽出値からいずれかの確変大当り図柄の組合せを選択決定する。また、通常大当りにすることに決定されていると判定したときには、所定のタイミングでＳＲ１−１から数値データ（乱数）を抽出し、ＳＲ１−１と通常大当り図柄の組合せ（たとえば、左，中，右が「４，４，４」等の偶数のゾロ目の組合せ）との関係が設定されたデータテーブル（通常大当り図柄決定用テーブル）を用いて、抽出値からいずれかの通常大当り図柄の組合せを選択決定する。このように決定された図柄が大当り遊技状態に制御される前の変動表示結果である最終停止図柄として用いられる。
【０２７１】
確変大当りおよび通常大当りとすることに決定されていない（Ｓ５００でＮＯ）と判断した場合、演出制御用ＣＰＵ１０１は、変動表示結果を小当りまたは突然確変大当りとすることに決定されているか否か確認する（Ｓ５００Ａ）。小当りまたは突然確変大当りとすることに決定されている（Ｓ５００ＡでＹＥＳ）と判断した場合、チャンス目を構成する演出図柄の停止図柄を決定し（Ｓ５０１Ａ）、Ｓ５０８へ処理を進める。このように、突然確変大当りおよび小当りに決定した場合のいずれにも同じチャンス目を導出表示させることで、遊技者に、高確状態になるかも知れないし、大当り確率が変更されないかも知れないといった期待感を抱かせることができる。
【０２７２】
小当りおよび突然確変大当りとすることに決定されていない（Ｓ５００ＡでＮＯ）と判断した場合、演出制御用ＣＰＵ１０１は、変動パターンコマンドとして、リーチ変動パターンに対応したコマンドを受信したか否か確認する（Ｓ５０２）。リーチ変動パターンに対応したコマンドを受信したか否かは、たとえば、変動パターンコマンド格納領域に格納されているデータによって判定される。
【０２７３】
リーチ変動パターンに対応したコマンドを受信していない（Ｓ５０２でＮＯ）と判定した場合、当該コマンドが擬似連ガセの変動パターンを指定するコマンドであるか否か確認する（Ｓ５０４）。Ｓ５０４で擬似連ガセの変動パターンを指定するコマンドではないとき（通常はずれのとき）は、ＲＯＭ１０２に格納されたはずれ図柄決定用データテーブルを用いて、リーチにならないはずれの表示結果を演出図柄の最終停止として決定し（Ｓ５０６）、Ｓ５０８へ処理を進める。はずれ図柄決定用データテーブルでは、複数種類の演出図柄のそれぞれに、ＳＲ１−１〜ＳＲ１−３のそれぞれの数値データが対応付けられている。
【０２７４】
Ｓ５０６の処理では、所定のタイミングでＳＲ１−１〜ＳＲ１−３のそれぞれから数値データ（乱数）を抽出し、はずれ図柄決定用データテーブルを用い、抽出した数値データに対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、右図柄を１図柄ずらす補正）して各停止図柄が決定される。
【０２７５】
擬似連ガセの変動パターンを指定するコマンドであるとき（Ｓ５０４でＹＥＳと判断されたとき）は、ＲＯＭ１０２に格納された擬似連ガセ図柄決定用データテーブルを用いて、擬似連ガセとなった後のはずれの表示結果を演出図柄の最終停止図柄として決定し（Ｓ５０５）、Ｓ５０８へ処理が進められる。本実施の形態では、擬似連出目が、たとえば、「６，ＮＥＸＴ，５」である。これに対し、擬似連ガセとなる図柄の組合せ（擬似連出目となることを示唆するような図柄の組合せ）は、左図柄が「６」かつ右図柄が「５」で、中図柄が「７」または「８」というように複数種類設けられている。擬似連ガセ図柄決定用データテーブルでは、このような擬似連ガセとなる複数種類の中図柄が、所定の乱数値（たとえば、ＳＲ１−２）に基づいてランダムに選択可能なように、図柄の組合せと乱数値との関係が設定されている。
【０２７６】
Ｓ５０５の処理では、所定のタイミングでＳＲ１−２から数値データ（乱数）を抽出し、擬似連ガセ図柄決定用データテーブルを用いて、抽出したＳＲ１−２の数値データに対応する中図柄を擬似連ガセの変動パターンのときの中図柄の最終停止図柄として選択することで、予め定められた左図柄「６」および右図柄「５」と合わせて、擬似連ガセとなった後のはずれ図柄の組合せが決定される。
【０２７７】
リーチ変動パターンである（Ｓ５０２でＹＥＳ）と判定した場合は、リーチ図柄の組合せを構成する演出図柄の停止図柄を決定し（Ｓ５０３）、Ｓ５０８へ処理が進められる。Ｓ５０３の処理では、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する左，右の各演出図柄の停止図柄として決定され、ＳＲ１−２から抽出されたカウンタの値と合致する乱数に対応する図柄が中図柄の停止図柄として決定される。また、この場合も、偶然大当り図柄の組合せとなってしまうときには、はずれ図柄の組合せとなるように補正（たとえば、中図柄を１図柄ずらす補正）して各停止図柄が決定される。
【０２７８】
次に、演出制御用ＣＰＵ１０１は、演出制御パターンを複数種類の演出制御パターンのうちのいずれかに決定する（Ｓ５０８）。Ｓ５０８においては、変動パターンコマンドによって指定された変動パターン、および、演出制御パターン等により指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを使用パターンとして選択決定する。
【０２７９】
ＲＯＭ１０２に記憶されている制御パターンテーブルには、たとえば、演出図柄の変動が開始されてから最終停止図柄となる確定演出図柄が停止表示されるまでの期間における、演出表示装置９の表示領域における演出図柄の変動表示動作、リーチ演出における演出表示動作、擬似連の演出による演出表示動作、および、予告演出における演出表示動作における演出表示動作といった各種の演出動作の制御内容を示すデータが、図柄変動制御パターンとして複数種類格納されている。
【０２８０】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。
【０２８１】
次いで、Ｓ５０８で選択した演出制御パターンに応じたプロセステーブルを選択する（Ｓ５０９）。潜伏演出の実行中である場合は、潜伏演出に対応したプロセステーブルが選択される。そして、選択したプロセステーブルのプロセスデータ１におけるプロセスタイマ（演出設定プロセスタイマ）をスタートさせる（Ｓ５１０）。
【０２８２】
Ｓ５１０の処理を実行したら、プロセスデータ１の内容（表示制御実行データ１、ランプ制御実行データ１、音番号データ１）にしたがって演出装置（演出用部品としての演出表示装置９、演出用部品としての各種ランプ、および、演出用部品としてのスピーカ２７）の制御を開始する（Ｓ５１１）。たとえば、表示制御実行データにしたがって、演出表示装置９において変動パターンに応じた画像（演出図柄を含む。）を表示させるために、ＶＤＰ１０９に指令を出力する。また、各種ＬＥＤ等の発光体を点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。
【０２８３】
そして、変動時間タイマに、変動パターンコマンドで特定される変動時間に相当する値を設定し（Ｓ５１２）、演出制御プロセスフラグの値を演出図柄変動中処理（Ｓ８０２）に対応した値にし、演出図柄変動開始処理を実行する（Ｓ５１３）。そして、演出図柄変動開始処理が終了する。
【０２８４】
図１９は、演出図柄変動中処理（Ｓ８０２）を示すフローチャートである。演出図柄変動中処理において、演出制御用ＣＰＵ１０１は、プロセスタイマの値を１減算するとともに（Ｓ８４１）、変動表示の開始時からの経過時間を計時する変動表示時間タイマの値を１減算する（Ｓ８４２）。そしてプロセスタイマがタイムアウトしているか否かを判断する（Ｓ８４３）。
【０２８５】
プロセスタイマがタイムアウトするまで（Ｓ８４３Ｎ）は、Ｓ８４６に進む。Ｓ８４３においてプロセスタイマがタイムアウトしたと判断したときは（Ｓ８４３Ｙ）、プロセスデータの切替えを行なう（Ｓ８４４）。すなわち、プロセステーブルにおける次に設定されているプロセスタイマ設定値をプロセスタイマに設定することによってプロセスタイマをあらためてスタートさせる（Ｓ８４４）。また、その次に設定されている表示制御実行データ、ランプ制御実行データ、および、音番号データ等のプロセスデータに基づいて演出装置（演出用部品）に対する制御状態を変更する等、次のプロセスデータの内容にしたがって、演出装置を制御する（Ｓ８４５）。
【０２８６】
次に、変動表示時間タイマの値に基づいて、変動表示時間タイマがタイムアウトしたか否かを確認する（Ｓ８４７）。変動表示時間タイマがタイムアウトしていれば（Ｓ８４８でＹ）、演出制御プロセスフラグの値を演出図柄変動停止処理（Ｓ８０３）に応じた値に更新する（Ｓ８４９）。一方、変動表示時間タイマがタイムアウトしていないときは（Ｓ８４８でＮ）、処理を終了する。
【０２８７】
図２０は、演出図柄変動停止処理（ステップＳ８０３）を示すフローチャートである。演出図柄変動停止処理において、演出制御用ＣＰＵ１０１は、演出図柄表示結果格納領域に格納されているデータ（停止図柄を示すデータ）に従って停止図柄を導出表示する制御を行なう（ステップＳ８５１）。
【０２８８】
次いで、演出制御用ＣＰＵ１０１は、大当りまたは小当りとすることに決定されているか否か確認する（ステップＳ８５２）。大当りまたは小当りとすることに決定されているか否かは、たとえば、表示結果指定コマンド格納領域に格納されている表示結果指定コマンドによって確認される。なお、この実施の形態では、ステップＳ８５１で導出表示された決定されている停止図柄によって、大当りまたは小当りとすることに決定されているか否か確認することもできる。
【０２８９】
大当りまたは小当りとすることに決定されている場合（ステップＳ８５２でＹＥＳの場合）には、演出制御用ＣＰＵ１０１は、突確小当り後フラグがオン状態であるか否かを判断する（ステップＳ８６１）。突確小当り後フラグがオン状態である（ステップＳ８６１でＹＥＳ）と判断した場合、演出制御用ＣＰＵ１０１は、潜伏演出を終了させる、具体的には、演出表示装置９の背景を、潜伏演出に移行する前の元の状態に戻す（ステップＳ８６２）。そして、演出制御用ＣＰＵ１０１は、突確小当り後フラグをオフ状態にする（ステップＳ８６３）。
【０２９０】
ステップＳ８６３の後、および、突確小当り後フラグがオン状態でない（ステップＳ８６１でＮＯ）と判断した場合、演出制御用ＣＰＵ１０１は、突然確変大当りまたは小当りの最終停止図柄が導出表示されたか否かを判断する（ステップＳ８６４）。具体的には、ステップＳ８５２と同様の方法で判断することができる。
【０２９１】
突然確変大当りまたは小当りの最終停止図柄が導出表示された（ステップＳ８６４でＹＥＳ）と判断した場合、演出制御用ＣＰＵ１０１は、突確小当り後フラグをオン状態にする（ステップＳ８６５）。そして、突確小当り後変動回数カウンタを０回にリセットする（ステップＳ８６６）。その後、実行する処理をステップＳ８６７に進める。
【０２９２】
突然確変大当りまたは小当りの最終停止図柄が導出表示されていない（ステップＳ８６４でＮＯ）と判断した場合、演出制御用ＣＰＵ１０１は、実行する処理をステップＳ８６７に進める。
【０２９３】
ステップＳ８６７では、演出制御用ＣＰＵ１０１は、図１６のステップＳ７０９で設定されたカードの返却を促す旨の報知タイミングの設定に含まれる種類の大当り図柄導出時であるか否かを判断する（ステップＳ８６７）。
【０２９４】
設定に含まれる種類の大当り図柄導出時である（ステップＳ８６７でＹＥＳ）と判断した場合、演出制御用ＣＰＵ１０１は、カードユニット５０で受付けられているカードの返却を促す旨を、演出表示装置９に表示させるよう制御する（ステップＳ８６８）。カードの返却を促す旨は、実質的に、カードの返却操作を促す旨と近い意味である。たとえば、「プリペイドカードの取り忘れや盗難にご注意ください」といった文言を所定時間（たとえば、２秒以上）表示させる。また、「返却ボタンを操作してください」といった文言であってもよい。
【０２９５】
なお、本実施の形態においては、通常大当りの大当り図柄が導出表示された場合に、報知タイミング設定に、通常大当り図柄導出時が含まれていれば、カードの返却を促す旨を報知するようにした。しかし、これに限定されず、賞球が得られる当り（本実施の形態においては、通常大当りおよび確変大当り）の当り図柄が導出表示された場合に、報知タイミングの設定に関わらず、必ず、カードの返却を促す旨が報知されるようにしてもよい。
【０２９６】
通常大当りの最終停止図柄が導出表示されていない（ステップＳ８６４ＡでＮＯ）と判断した場合、報知タイミングの設定に「通常大当り図柄導出時」が含まれない（ステップＳ８６７でＮＯ）と判断した場合、および、ステップＳ８６８の後、演出制御用ＣＰＵ１０１は、実行する処理をステップＳ８６９に進める。
【０２９７】
ステップＳ８６９では、演出制御用ＣＰＵ１０１は、演出制御プロセスフラグの値を大当り表示処理（ステップＳ８０５）に応じた値に更新する（ステップＳ８６９）。
【０２９８】
大当りにも小当りにもしないことに決定されている場合（ステップＳ８５２でＮＯの場合）には、突確小当り後フラグがオン状態であるか否かを判断する（ステップＳ８７１）。突確小当り後フラグがオン状態である（ステップＳ８７１でＹＥＳ）と判断した場合、演出制御用ＣＰＵ１０１は、突確小当り後変動回数カウンタの値を１加算する（ステップＳ８７２）。
【０２９９】
次に、突確小当り後変動回数カウンタの値が３０回に達したか否かを判断する（ステップＳ８７３）。３０回に達した（ステップＳ８７３でＹＥＳ）と判断した場合、演出制御用ＣＰＵ１０１は、潜伏演出を終了させる、具体的には、演出表示装置９の背景を、潜伏演出に移行する前の元の状態に戻す（ステップＳ８６４）。そして、演出制御用ＣＰＵ１０１は、突確小当り後フラグをオフ状態にする（ステップＳ８７５）。
【０３００】
突確小当り後フラグがオン状態でない（ステップＳ８７１でＮＯ）と判断した場合、突確小当り後変動回数カウンタの値が３０回に達していないと判断した場合、および、ステップＳ８７５の後、演出制御用ＣＰＵ１０１は、遊技制御用マイクロコンピュータ５６０から、低確率／低ベース状態指定コマンドを受信したか否かを判断する。
【０３０１】
低確率／低ベース状態指定コマンドを受信した（ステップＳ８７６でＹＥＳ）と判断した場合、演出制御用ＣＰＵ１０１は、図１６のステップＳ７０９で設定されたカードの返却を促す旨の報知タイミングの設定に、「高ベース状態終了時」が含まれるか否かを判断する（ステップＳ８７７）。
【０３０２】
設定に「高ベース状態終了時」が含まれる（ステップＳ８７７でＹＥＳ）と判断した場合、演出制御用ＣＰＵ１０１は、カードユニット５０で受付けられているカードの返却を促す旨を、演出表示装置９に表示させるよう制御する（ステップＳ８７８）。
【０３０３】
なお、本実施の形態においては、変動開始時に遊技状態を指定するコマンドを送信しているので、ステップＳ８７６〜ステップＳ８７８の処理は、演出図柄変動開始処理において行なうようにしてもよい。
【０３０４】
低確率／低ベース状態指定コマンドを受信していない（ステップＳ８７６でＮＯ）と判断した場合、報知タイミングの設定に「高ベース状態終了時」が含まれない（ステップＳ８７７でＮＯ）と判断した場合、および、ステップＳ８７８の後、演出制御用ＣＰＵ１０１は、演出制御プロセスフラグの値を変動パターンコマンド受信待ち処理（ステップＳ８００）に応じた値に更新する（ステップＳ８７９）。
【０３０５】
図２１は、演出制御プロセス処理における大当り終了演出処理（ステップＳ８０７）を示すフローチャートである。大当り終了演出処理において、演出制御用ＣＰＵ１０１は、大当り終了演出タイマが設定されているか否か確認する（ステップＳ８８０）。大当り終了演出タイマは、大当り遊技の終了を報知する大当り終了画面を表示する時間を計測するためのタイマである。大当り終了演出タイマが設定されている場合（ステップＳ８８０でＹＥＳの場合）には、演出制御用ＣＰＵ１０１は、実行する処理をステップＳ８８５に移行させる。
【０３０６】
大当り終了演出タイマが設定されていない場合（ステップＳ８８０でＮＯの場合）には、演出制御用ＣＰＵ１０１は、大当り終了指定コマンドを受信したことを示す大当り終了指定コマンド受信フラグ（大当り終了指定コマンド受信フラグ、小当り／突然確変大当り終了指定コマンド受信フラグ）をリセットする（ステップＳ８８２）。
【０３０７】
次に、演出制御用ＣＰＵ１０１は、大当り終了演出タイマに大当り終了表示時間に相当する値（たとえば、２秒に相当する値）を設定して（ステップＳ８８３）、演出表示装置９に、大当り終了画面（大当り遊技の終了を報知する画面）を表示する制御を行なう（ステップＳ８８４）。具体的には、ＶＤＰ１０９に、大当り終了画面を表示させるための指示を与える。
【０３０８】
ステップＳ８８５では、演出制御用ＣＰＵ１０１は、大当り終了演出タイマの値を１減算する。そして、演出制御用ＣＰＵ１０１は、大当り終了演出タイマの値が０になっているか否か、すなわち大当り終了演出時間が経過したか否か確認する（ステップＳ８８６）。経過していなければ処理を終了する。
【０３０９】
大当り終了演出時間が経過している場合には（ステップＳ８８６でＹＥＳの場合）、演出制御用ＣＰＵ１０１は、突確小当り後フラグがオン状態であるか否かを判断する（ステップＳ８９１）。オン状態である（ステップＳ８９１でＹＥＳ）と判断した場合、演出制御用ＣＰＵ１０１は、潜伏演出を開始する、具体的には、演出表示装置９の背景を特定背景（たとえば、背景色が赤、背景が夜景など）に変更するようＶＤＰ１０９を制御する。
【０３１０】
突確小当り後フラグがオン状態でない（ステップＳ８９１でＮＯ）と判断した場合、および、ステップＳ８９３の後、演出制御用ＣＰＵ１０１は、演出制御プロセスフラグの値を変動パターンコマンド受信待ち処理（ステップＳ８００）に応じた値に更新する（ステップＳ８９４）。
【０３１１】
〔第２実施形態〕
次に、第２実施形態を説明する。第２実施形態では、カードユニット５０で受付けられているカードの返却を促す旨の報知を行なうタイミングが、第１実施形態と異なる場合について説明する。なお、第２実施形態のタイミングでの報知を、第１実施形態で行なうようにしてもよい。
【０３１２】
図２２は、第２実施形態における演出制御メイン処理を示すフローチャートである。ステップＳ７０１からステップＳ７０７までの処理は、図１６で説明した第１実施形態と同様であるので、重複する説明は繰返さない。
【０３１３】
ステップＳ７０７の後、演出制御用ＣＰＵ１０１は、演出制御プロセスフラグが大当り表示処理を示す値であるか、つまり、大当り遊技状態の開始時であるか否かを判断する（ステップＳ７１１）。大当り表示処理を示す値である（ステップＳ７１１でＹＥＳ）と判断した場合、演出制御用ＣＰＵ１０１は、大入賞口への入賞個数カウンタの値を０にリセットする（ステップＳ７１２）。
【０３１４】
演出制御プロセスフラグが大当り表示処理を示す値でない（ステップＳ７１１でＮＯ）と判断した場合、および、ステップＳ７１２の後、演出制御用ＣＰＵ１０１は、大入賞口入賞指定コマンドを遊技制御用マイクロコンピュータ５６０から受信したか否かを判断する。
【０３１５】
大入賞口入賞指定コマンドは、大当り遊技状態に制御されているときに、大入賞口に遊技球が１つ入賞するごとに、大入賞口に遊技球が１つ入賞したことを、演出制御用マイクロコンピュータ１００に伝達するためのコマンドである。つまり、演出制御用マイクロコンピュータ１００において、大入賞口入賞指定コマンドを受信するごとに入賞個数を１加算すれば、大入賞口に入賞した遊技球の積算の個数を算出することができる。
【０３１６】
大入賞口入賞指定コマンドを受信した（ステップＳ７１３でＹＥＳ）と判断した場合、演出制御用ＣＰＵ１０１は、入賞個数を１、加算する（ステップＳ７１４）。
【０３１７】
そして、積算された入賞個数が所定数以上となったか否かを判断する（ステップＳ７１５）。賞球が得られる大当りにおいて得られる最大の賞球の数の１／４である。所定数以上となった（ステップＳ７１５でＹＥＳ）と判断した場合、演出制御用ＣＰＵ１０１は、カードユニット５０で受付けられているカードの返却を促す旨を、演出表示装置９に表示させるよう制御する（ステップＳ７１６）。
【０３１８】
これにより、賞球が得られる大当りにおいて得られる最大の賞球の数の１／４以上が得られる大当りにおいて、実際に所定数以上、賞球が得られた場合に、カードの返却を促す旨を報知することができる。
【０３１９】
たとえば、最大の賞球が得られる大当り（本実施の形態においては、確変大当りまたは通常大当り）において、大当り遊技状態が１５ラウンド続き、１ラウンドの終了条件が、ラウンド中に大入賞口に遊技球が１０個入るか、１０個入らなくても２９秒経過することであるので、１個の入賞に対して１４個の賞球が得られるとすると、大当りにおいて得られる最大の賞球の数は、１０×１４×１５＝２１００個であり、所定数は、５２５個となる。
【０３２０】
大入賞口入賞指定コマンドが受信されていない（ステップＳ７１３でＮＯ）と判断した場合、所定数以上となっていない（ステップＳ７１５でＮＯ）と判断した場合、および、ステップＳ７１６の後、演出制御用ＣＰＵ１０１は、実行する処理をステップＳ７０２の処理に戻す。
【０３２１】
次に、前述した実施の形態により得られる主な効果を説明する。
（１−１）  この実施の形態における遊技機の一例のパチンコ遊技機１は、記録媒体（たとえば、会員カード、ビジターカード）に記録された価値（たとえば、度数）に基づいた遊技媒体（たとえば、遊技球）の貸出指令を受けて前記遊技媒体を遊技に使用可能にする遊技機である。
【０３２２】
パチンコ遊技機１の遊技制御用マイクロコンピュータ５６０によって、遊技者にとって有利な特定遊技状態（たとえば、大当り遊技状態）に制御可能（たとえば、図１０のステップＳ３０５〜ステップＳ３０７）であるとともに、前記特定遊技状態とは異なる有利状態（たとえば、高ベース状態）に制御可能（たとえば、図１５のステップＳ１６７，ステップＳ１７０Ａ，ステップＳ１７０Ｂ，ステップＳ１７２Ｂ）である。
【０３２３】
パチンコ遊技機１の演出制御用マイクロコンピュータ１００によって、前記有利状態に制御されているときと前記有利状態に制御されていないときとで共通する共通演出（たとえば、潜伏演出）を実行可能である。演出制御用マイクロコンピュータ１００によって、前記記録媒体の返却操作を促す報知が実行される（たとえば、図２０のステップＳ８６８，ステップＳ８７８、図２２のステップＳ７１６）。
【０３２４】
演出制御用マイクロコンピュータ１００によって、前記共通演出が実行されるときに、前記報知が規制される（たとえば、潜伏演出が実行される突然確変大当りまたは小当りの場合は、図２０のステップＳ８６４でＹＥＳと判断され、報知タイミング設定に突然確変大当り／小当り図柄導出時が含まれていない限り、ステップＳ８６８でのカードの返却を促す旨の表示が実行されない）。
【０３２５】
これにより、パチンコ遊技機１によって、遊技者にとって有利な特定遊技状態とは異なる有利状態に制御されているときと有利状態に制御されていないときとで共通する共通演出が実行可能であり、記録媒体の返却操作を促す報知が実行され、共通演出が実行されるときに、報知が規制される。このため、共通演出が実行されるような有利状態に制御されているかも知れない状況においては、記録媒体の返却操作を促す報知が規制される。その結果、遊技の継続の意欲を減退させることを防止できることで遊技機の稼動率を向上させることができる。
【０３２６】
なお、有利状態とは、大当り遊技状態などの特定遊技状態とは異なる状態、たとえば、高確率状態、高ベース状態、小当りの発生頻度が向上した状態、ＲＴ状態、および、ＡＲＴ状態などの状態である。また、潜伏状態とは、有利状態であるが、有利状態でない場合と共通の共通演出が実行されることによって、有利状態に制御されていることが外部から遊技者に判別困難とされている状態である。
【０３２７】
（１−２）  パチンコ遊技機１によって、第１特定遊技状態と比較して有利度合いが低い第２特定遊技状態への制御に対応して共通演出が実行される。このため、有利度合いの低い第２特定遊技状態に制御される場合であっても、共通演出が実行されることによって有利状態に制御されているかも知れないと遊技者に思わせることができる。その結果、遊技の継続の意欲を減退させることをさらに防止できることで遊技機の稼動率をさらに向上させることができる。
【０３２８】
（１−３）  パチンコ遊技機１によって、記録媒体の返却操作を促す報知が実行される契機を、第１特定遊技状態に制御されたとき、および、有利状態への制御が終了されたときを含む複数の契機の中から設定される。その結果、状況に応じた適切な、記録媒体の返却操作を促す報知を実現することができる。
【０３２９】
（１−４）  パチンコ遊技機１によって、終了後に有利状態でない状態となる特定遊技状態が発生したときに、報知が実行される。このため、遊技者が遊技を終了する傾向があるタイミング、および、遊技者が記録媒体の価値をこれ以上、使用しない傾向があるタイミングで、記録媒体の返却操作を促す報知が実行される。その結果、記録媒体の返却操作を促す報知が、適切なタイミングで実行されるので、記録媒体の返却操作を促す報知の効果を向上させることができる。
【０３３０】
（１−５）  パチンコ遊技機１によって、特定遊技状態において所定数の遊技媒体が付与されたときに、記録媒体の返却操作を促す報知が実行される。このため、遊技者が手持ちの遊技媒体をある程度、確保した段階で、記録媒体の返却操作を促す報知が実行される。その結果、記録媒体の返却操作を促す報知が、適切なタイミングで実行されるので、記録媒体の返却操作を促す報知の効果を向上させることができる。
【０３３１】
（１−６）  音声で報知をする場合、遊技場の環境により、報知する内容を遊技者に適切に伝達できないことが多い。これにより、パチンコ遊技機１によって、表示手段に記録媒体の返却操作を促す表示をするための報知が実行される。このため、記録媒体の返却操作を促す報知をより確実に遊技者に認識させることができる。
【０３３２】
（２−１）  遊技制御用マイクロコンピュータ５６０によって、遊技者にとって有利な特定遊技状態（たとえば、大当り遊技状態）とは異なる有利状態（たとえば、高ベース状態）に制御可能（たとえば、図１５のステップＳ１６７，ステップＳ１７０Ａ，ステップＳ１７０Ｂ，ステップＳ１７２Ｂ）である。
【０３３３】
演出制御用マイクロコンピュータ１００によって、前記遊技状態が前記有利状態から通常状態に制御されたときに、前記記録媒体の返却操作を促す報知が実行される（たとえば、演出制御用マイクロコンピュータ１００によって、ステップＳ８７６で低確率／低ベース状態指定コマンドが受信されたと判断された場合に、図２０のステップＳ８７８でカードの返却を促す旨を表示させる制御が行なわれる）。
【０３３４】
このような構成によれば、パチンコ遊技機１によって、有利状態から通常状態に制御されたときに、記録媒体の返却操作を促す報知が実行される。このため、特定遊技状態の間に遊技者が記録媒体の返却操作をしなかった場合、遊技者が遊技を止めようとするタイミングである有利状態から通常状態に制御されるときに、記録媒体の返却操作を促す報知が実行される。その結果、記録媒体の返却し忘れを効果的に防止することができる。
【０３３５】
次に、以上に説明した実施の形態の変形例や特徴点等を以下に列挙する。
（１）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０３３６】
（２）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。このような構成の場合には、前述した実施の形態で演出制御用マイクロコンピュータ１００が行なっていた各種決定については、同様に演出制御用マイクロコンピュータ１００が行なうようにしてもよく、または、音声出力基板７０、ランプドライバ基板３５、または、音／ランプ基板に搭載したマイクロコンピュータ等の制御手段が行なうようにしてもよい。
【０３３７】
（３）  前述した実施の形態は、入賞球の検出に応答して所定数の賞球を払い出す払出式遊技機に限定されるものではなく、遊技球を封入し入賞球の検出に応答して得点を付与する封入式遊技機にも適用することができる。
【０３３８】
具体的に、上記の実施の形態の遊技機は、遊技者に景品として遊技球が払出され、遊技者が払出された遊技球または貸し球を遊技領域に発射して遊技が行なわれる遊技機であったが、会員カードやビジターカード等の遊技用記録媒体の記録情報により特定される大きさの遊技価値である度数を使用して、遊技に使用するための遊技得点を付与するとともに、付与された遊技得点または遊技による入賞により付与された遊技得点を使用して遊技機内に封入された遊技球を遊技領域に打込んで遊技者が遊技を行なう遊技機にも本発明を適用することができる。
【０３３９】
すなわち、始動領域を遊技媒体（遊技球）が通過した後に、変動表示の開始を許容する開始条件の成立に基づいて、各々を識別可能な複数種類の識別情報の変動表示を行ない表示結果を導出表示する変動表示装置を備え、該変動表示装置に特定表示結果が導出表示されたときに遊技者にとって有利な特定遊技状態に移行させる遊技機であるが、遊技得点が０でないときに遊技得点を使用して遊技機内に封入された遊技球を遊技領域に打込んで遊技が行なわれ、遊技球の打込みに応じて遊技得点を減算し、遊技領域に設けられた入賞領域に遊技球が入賞することに応じて遊技得点を加算する遊技機にも本発明を適用することができる。そのような遊技機は、遊技得点の加算に使用可能な遊技用価値の大きさを特定可能な情報が記録された遊技用記録媒体を挿入するための遊技用記録媒体挿入口と、遊技用記録媒体挿入口に挿入された遊技用記録媒体に記録されている記録情報の読出しを行なう遊技用記録媒体処理手段とを備えていてもよい。
【０３４０】
（４）  前述した実施の形態においては、上述の（１−１）および（２−１）で示した有利状態が、高確率状態であることとした。そして、有利状態に制御されているときと有利状態に制御されていないときとで共通する共通演出（たとえば、潜伏演出）が実行されるようにした。なお、パチンコ遊技機の場合、特定遊技状態は、たとえば、前述の実施の形態で示した大当り遊技状態である。
【０３４１】
しかし、これに限定されず、有利状態が、パチンコ遊技機１の高確状態、または、小当りの発生頻度が向上した状態である状態であってもよい。
【０３４２】
また、スロットマシンに上述の実施形態を適用した場合に、有利状態が、スロットマシンのリプレイ確率が向上した状態であるＲＴ（リプレイタイム）状態、当選状況に応じて操作手順（押し順や操作タイミング）や停止させるべき図柄を報知するＡＴ（アシストタイム）状態、または、ＡＴ状態とＲＴ状態とを組合せたＡＲＴ（アシストリプレイタイム）状態であってもよい。このような場合、特定遊技状態は、たとえば、ＢＢ（ビッグボーナス）やＲＢ（レギュラーボーナス）であってもよい。
【０３４３】
また、有利状態が、ＢＢやＲＢに当選したが、未だ当選しているＢＢやＲＢに入賞しておらず、当選フラグが持ち越されている持越状態であるが、当選していることは報知されていない状態であってもよい。このような場合、特定遊技状態は、たとえば、ＢＢやＲＢであってもよい。
【０３４４】
また、有利状態が、ＡＴ状態に移行させることが決定されているが、未だＡＴ状態に移行されていないＡＴ潜伏状態であってもよい。このような場合、特定遊技状態は、たとえば、ＡＴ状態であってもよい。
【０３４５】
また、有利状態が、ＡＴ当選確率が高い状態、または、ＡＴ期待度（たとえば、ＡＴに制御される期間として期待できる期間）が大きい状態であってもよい。このような場合、特定遊技状態は、たとえば、ＡＴ状態であってもよい。また、リプレイ当選確率が異なる複数のＲＴに制御可能なスロットマシンにおいては、有利状態が、一のＲＴよりもリプレイ当選確率が高い有利なＲＴ状態であってもよい。また、有利状態が、有利なＲＴ状態への移行契機となるリプレイの当選確率が高い状態であってもよい。また、有利状態が、制御されることを期待できる期間が長いＲＴ状態であってもよい。これらのような場合、特定遊技状態は、たとえば、有利状態とは異なるＲＴ状態であってもよい。このように、スロットマシンにおいては、特定遊技状態と有利状態との組合せとしては、任意の様々な組合せが考えられる。
【０３４６】
なお、上述の小当りの発生頻度が向上した状態の制御方法は、たとえば、次のようなものが考えられる。第１特別図柄と第２特別図柄とを有するパチンコ遊技機１において、第２特別図柄については、小当り確率を高くする。第２特別図柄の小当りが発生した場合の大入賞口の開放期間を長い期間（たとえば、１．８秒）とする。長い期間とは、前述の実施形態における遊技球が入賞しないような短い期間（たとえば、０．５秒）と比較して長い期間である。
【０３４７】
そして、所定条件が成立（たとえば、小当りの発生、大当りの発生、予め定められた変動回数の消化）していない通常状態においては、第２特別図柄の変動時間として、極端に長い変動時間（たとえば、３０分）が選ばれるようにする。一方、所定条件の成立に基づいて、小当りの発生頻度が向上した状態に制御し、第２特別図柄の変動時間をごく短い時間にする。これにより、小当りの発生頻度を高めることができる。
【０３４８】
また、別の制御方法としては、次のようなものが考えられる。第１特別図柄と第２特別図柄とを有するパチンコ遊技機１において、第１特別図柄については、保留記憶の機能を有し、第２特別図柄については、保留記憶の機能を有しないこととする。第２特別図柄の第２始動入賞口には、可変入賞球装置が備えられる。
【０３４９】
第２特別図柄については、小当り確率を高くする。第２特別図柄の小当りが発生した場合の大入賞口の開放期間を通常の短い期間（たとえば、０．５秒）と比較して長い期間（たとえば、１．８秒）とする。
【０３５０】
普通図柄の始動領域であるゲートを通過した遊技球は、略、第１特別図柄の第１始動入賞口に入賞するように、ゲートおよび第１始動入賞口が配置される。
【０３５１】
そして、所定条件が成立していない通常状態においては、たとえば、第１特別図柄の変動時間よりも普通図柄の変動時間を短くする。これにより、仮に普通図柄の当りが発生して可変入賞球装置が開放されて第２特別図柄の始動入賞が発生したとしても、第１特別図柄が変動中である状況が多くなり、第２特別図柄には保留記憶の機能が無いため、第２特別図柄の始動入賞が無効となってしまう頻度が高くなる。
【０３５２】
一方、所定条件の成立に基づいて、小当りの発生頻度が向上した状態に制御し、第１特別図柄の変動時間と普通図柄の変動時間との関係を逆転させる（たとえば、第１特別図柄の変動時間をごく短い時間（たとえば、０．２秒）にする）。
【０３５３】
これにより、普通図柄の当りが発生して可変入賞球装置が開放されて第２特別図柄の始動入賞が発生したときに、第１特別図柄が変動中である状況が少なくなり、第１特別図柄が変動中でなければ第２特別図柄の変動表示が開始されるため、第２特別図柄の始動入賞が無効となってしまう頻度が低くなる。その結果、小当りの発生頻度を高めることができる。
【０３５４】
なお、所定条件が成立していない場合は、必ず、第２特別図柄の始動入賞が無効となるようにする一方、所定条件が成立した場合は、必ず、第２特別図柄の始動入賞が有効となるようにしてもよい。
【０３５５】
また、第２始動入賞口に可変入賞球装置が備えられないようにしてもよい。その場合は、通常状態では、第２特別図柄の始動入賞が無効となり易くし、所定条件の成立に基づいて、第２特別図柄の始動入賞が無効となり難くするようにする。
【０３５６】
また、上述の別の制御方法では、第１特別図柄の変動時間と普通図柄の変動時間との関係を、所定条件に成立時と非成立時とで逆転させるようにした。しかし、これに限定されず、普通図柄の変動時間に替えて、普通図柄の変動が開始してから普通図柄の当りが発生して可変入賞球装置が閉鎖するまでの時間としてもよい。つまり、第１特別図柄の変動時間を、所定条件の非成立時は、普通図柄の変動時間に所定の微少時間を加算した時間よりも長くし、所定条件の成立時は、普通図柄の変動時間に所定の微少時間を加算した時間よりも短くしてもよい。
【０３５７】
（５）  前述した実施の形態においては、カードユニット５０は、パチンコ遊技機１に外付けされることとした。しかし、これに限定されず、カードユニット５０は、遊技機に内蔵されるようにしてもよい。
【０３５８】
（６）  前述した実施の形態のように、各台計数機５が備えられる場合、受付けられているカードに対して計数球が記憶される。このため、賞球が得られる種類の大当り図柄の導出表示時から、大当り遊技状態終了後の高ベース状態時までの間のいずれかのタイミングで、カードの返却を促す旨が表示されると、遊技者は、その時点でカードを返却する操作を行なってしまう。しかし、その後にも、遊技に用いる個数以上の賞球が得られる可能性が高いので、、カードが返却されると、各台計数機５で計数された獲得玉数を、再度、ストックされている他のカードに書込んで排出しなければならなくなる。このため、このようなことが繰返されると、ストックカードが無くなる頻度が高くなる。
【０３５９】
このような問題を解決するために、前述した実施の形態においては、高ベース状態が終了するときに、図２０のステップＳ８７８で、カードの返却を促す旨を表示するようにした。
【０３６０】
前述した実施の形態においては、遊技者が、カードの返却を促す旨の報知のタイミングを設定可能なこととした。しかし、これに限定されず、上述のようなストックカードの無くなる頻度が高くなることを防止するために、演出制御基板などに設定部を設けることによって、遊技場側が、上述の報知のタイミングを設定可能なように構成してもよい。
【０３６１】
これにより、遊技機側では、各台計数機５が設けられているか否かを把握することはできないが、遊技場側によって、各台計数機５が設けられている遊技場である場合は、報知のタイミングを高ベース状態が終了するときに設定し、そうでない場合は、他のタイミングとすることができるため、遊技場の環境に応じた報知を実現することができる。
【０３６２】
（７）  前述した実施の形態においては、図２０のステップＳ８６８で行なわれる大当りが発生したときのカードの返却を促す旨の報知のタイミングは、設定に含まれる種類の大当り図柄導出時であることとした。
【０３６３】
なお、大当りが発生したときのカードの返却を促す旨の報知のタイミングは、大当り遊技状態が開始するときのファンファーレ中、大当り遊技状態のラウンド中、または、大当り遊技状態のエンディング演出中等のタイミングのいずれのタイミングであってもよい。
【０３６４】
（８）  スロットマシンに適用する場合は、カードユニットが接続不能なタイプであってもよいし、カードユニットが接続可能なタイプであってもよい。カードユニットが接続可能なタイプの場合、メダルの貸出操作がされた場合、前述の実施の形態のパチンコ遊技機１に隣接するカードユニット５０のように、遊技機であるスロットマシンから遊技媒体であるメダルが払出される。一方、カードユニットが接続不能なタイプの場合、カードユニットにおいてメダルの貸出操作がされた場合、メダルがカードユニットから払出される。いずれの場合でも、遊技機であるスロットマシンでカードの返却が促されると、上述のパチンコ遊技機１の場合と同様の効果が得られる。
【０３６５】
（９）  上記実施の形態においては、変動表示において実行する演出として、滑り演出を実行するようにしてもよい。滑りとは、変動表示において図柄の停止直前に図柄を停止予測位置から滑らせる演出表示をいう。
【０３６６】
（１０）  上記実施の形態においては、変動時間およびリーチ演出の種類や擬似連の有無等の変動態様を示す変動パターンを演出制御マイクロコンピュータに通知するために、変動を開始するときに１つの変動パターンコマンドを送信する例を示したが、２つ乃至それ以上のコマンドにより変動パターンを演出制御マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御マイクロコンピュータは２つのコマンドの組合せから導かれる変動時間に基づいて変動表示における演出制御を行なうようにすればよい。
【０３６７】
なお、遊技制御用マイクロコンピュータの方では２つのコマンドのそれぞれにより変動時間を通知し、それぞれのタイミングで実行される具体的な変動態様については演出制御マイクロコンピュータの方で選択を行なう様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。なお、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０３６８】
（１１）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０３６９】
１  パチンコ遊技機、５  各台計数機、５０  カードユニット、９０  図柄表示領域、９４，９６  予告表示領域、１００  演出制御用マイクロコンピュータ、１２０  プッシュボタン、１２２  スティックコントローラ、５６０  遊技制御用マイクロコンピュータ、９  演出表示装置。
【図１】
2014223396.tif 000003
【図２】
2014223396.tif 000004
【図３】
2014223396.tif 000005
【図４】
2014223396.tif 000006
【図５】
2014223396.tif 000007
【図６】
2014223396.tif 000008
【図７】
2014223396.tif 000009
【図８】
2014223396.tif 000010
【図９】
2014223396.tif 000011
【図１０】
2014223396.tif 000012
【図１１】
2014223396.tif 000013
【図１２】
2014223396.tif 000014
【図１３】
2014223396.tif 000015
【図１４】
2014223396.tif 000016
【図１５】
2014223396.tif 000017
【図１６】
2014223396.tif 000018
【図１７】
2014223396.tif 000019
【図１８】
2014223396.tif 000020
【図１９】
2014223396.tif 000021
【図２０】
2014223396.tif 000022
【図２１】
2014223396.tif 000023
【図２２】
2014223396.tif 000024